(57)【要約】  いくつかの実施形態では、方法には、複数の無線デバイスの第１の無線デバイスにおいて、データパケットのソースの通知を含むデータパケットを受信することが含まれている。第１の無線デバイスが、データパケットのソースに関連付けられていることに応じて、第１の無線デバイスがローカルリピータであるかを、複数の無線デバイスのランダム数の無線デバイスか、またはいくつかの無線デバイスの少なくとも１つに基づいて判定することができる。第１の無線デバイスがローカルリピータであると判定されるのに応じて、第１の無線デバイスは、ローカルリピータとして構成されることになる場合があり、それにより、第１の無線デバイスが、データパケットを、複数の無線デバイスの、少なくとも１つの残りの無線デバイスに送信するようになっている。
2019537296.tif 000002
【特許請求の範囲】
【請求項１】
複数の無線デバイスの第１の無線デバイスにおいて、データパケットであって、前記データパケットのソースの通知を含む、データパケットを受信することと、
前記第１の無線デバイスが、前記データパケットの前記ソースに関連付けられていることに応じて、前記第１の無線デバイスがローカルリピータであるかを、前記複数の無線デバイスのランダム数の無線デバイスか、またはいくつかの無線デバイスの少なくとも１つに少なくとも部分的に基づいて判定することと、
前記第１の無線デバイスがローカルリピータであると判定されるのに応じて、前記第１の無線デバイスに、ローカルリピータとして構成させ、それにより、前記第１の無線デバイスが、前記データパケットを、前記複数の無線デバイスの、少なくとも１つの残りの無線デバイスに送信するようにすることと、
前記第１の無線デバイスがローカルリピータではないと判定されるのに応じて、前記第１の無線デバイスは、前記データパケットをリピートしないことと
を含む方法。
【請求項２】
前記第１の無線デバイスが無線コントローラである、請求項１に記載の方法。
【請求項３】
前記第１の無線デバイスがローカルリピータであるかの前記判定が、少なくとも部分的に、（前記ランダム数の）モジュロの計算（（前記第１の無線デバイスに関連付けられた前記複数の無線デバイスの無線デバイスの数＋２）／４）に基づくものである、請求項１に記載の方法。
【請求項４】
前記データパケットが第１のデータパケットであり、前記ランダム数が第１のランダム数であり、前記第１の無線デバイスにおいて、第２のデータパケットであって、前記第２のデータパケットのソースの通知を含む、第２のデータパケットを受信することと、
前記第１の無線デバイスが、前記第２のデータパケットの前記ソースに関連付けられていることに応じて、前記第１の無線デバイスがローカルリピータであるかを、前記複数の無線デバイスの第２のランダム数の無線デバイスか、または前記いくつかの無線デバイスの少なくとも１つに少なくとも部分的に基づいて判定することと、
前記第１の無線デバイスがローカルリピータであると判定されるのに応じて、前記第１の無線デバイスに、ローカルリピータとして構成させ、それにより、前記第１の無線デバイスが、前記第２のデータパケットを、前記複数の無線デバイスの、少なくとも１つの残りの無線デバイスに送信するようにすることと、
前記第１の無線デバイスがローカルリピータではないと判定されるのに応じて、前記第１の無線デバイスが、前記第２のデータパケットをリピートしないことと
をさらに含む、請求項１に記載の方法。
【請求項５】
前記第１の無線デバイスが、前記第１のデータパケットに基づいてローカルリピータであると判定され、前記第２のデータパケットに基づいてローカルリピータではないと判定され、前記第１のデータパケットが、前記第１の無線デバイスによって第１の時点で受信され、前記第２のデータパケットが、前記第１の無線デバイスにより、前記第１の時点とは異なる第２の時点で受信される、請求項４に記載の方法。
【請求項６】
前記データパケットの前記ソースが、スイッチまたはセンサの少なくとも１つである、請求項１に記載の方法。
【請求項７】
トランシーバと、前記トランシーバに動作可能に結合されたプロセッサとを有する第１の無線デバイスであって、前記トランシーバが、データパケットを受信するように構成され、前記プロセッサが、少なくとも部分的に、前記第１の無線デバイスが前記データパケットのソースに関連付けられていることに応じて、前記データパケットをリピートするかを判定するように構成されている、第１の無線デバイスを備え、
前記トランシーバが、第１の時点では、前記第１の無線デバイスの動作の間に、前記データパケットをリピートするように判定されるのに応じて、前記データパケットをリピートするように構成されており、
前記トランシーバが、前記第１の時点とは異なる第２の時点では、前記第１の無線デバイスの動作の間に、前記データパケットをリピートしないように判定されるのに応じて、前記データパケットをリピートしないように構成されている、装置。
【請求項８】
前記第１の無線デバイスが無線コントローラである、請求項７に記載の装置。
【請求項９】
前記プロセッサが、少なくとも部分的に、前記第１の無線デバイスに関連付けられた複数の無線デバイスのランダム数の無線デバイスか、またはいくつかの無線デバイスの少なくとも１つに基づく計算に応じて、前記データパケットをリピートするかを判定するように構成されている、請求項７に記載の装置。
【請求項１０】
前記計算が、（前記ランダム数の）モジュロの計算（（前記第１の無線デバイスに関連付けられた前記複数の無線デバイスの無線デバイスの数＋２）／４）である、請求項９に記載の装置。
【請求項１１】
前記第１の無線デバイスが、光源と同じ場所に配置されている、請求項７に記載の装置。
【請求項１２】
前記トランシーバが、前記データパケットをリピートしないように構成されているのに応じて、前記プロセッサが、前記データパケットに基づき、前記光源の特性を変更するように構成されている、請求項１１に記載の装置。
【請求項１３】
データパケットをリピートするように構成されたネットワークリピータであって、前記ネットワークリピータが、第１の伝播距離に関連付けられた第１の伝送パワーレベルを有している、ネットワークリピータと、
前記ネットワークリピータに動作可能に結合した複数の無線デバイスであって、前記複数の無線デバイスからの各々の無線デバイスが、前記複数の無線デバイスの残りの前記無線デバイスに動作可能に結合されており、かつ、複数の光源からのある光源に関連付けられており、前記複数の無線デバイスの各無線デバイスが、ローカルリピータとして動作するかを個別に判定するように構成されており、それにより、前記複数の無線デバイスの少なくとも１つの無線デバイスが、ローカルリピータとして動作し、また、前記複数の無線デバイスの残りの無線デバイスの少なくとも１つが、ローカルリピータではなくエンドデバイスとして動作するようになっている、複数の無線デバイスと、を備え、
前記ローカルリピータが、第２の伝播距離に関連付けられた第２の伝送パワーレベルにおいて、データパケットをリピートするように構成されており、前記第２の伝送パワーレベルが、前記第１の伝送パワーレベル未満であり、前記第２の伝播距離が、前記第１の伝播距離未満である、システム。
【請求項１４】
前記複数の無線デバイスの前記少なくとも１つの無線デバイスが、残りの無線デバイスの各々とは独立して、ローカルリピータとして動作するかを判定するように構成されている、請求項１３に記載のシステム。
【請求項１５】
前記複数の無線デバイスの前記少なくとも１つの無線デバイスが、他のどのデバイスとも独立して、ローカルリピータとして動作するかを判定するように構成されている、請求項１３に記載のシステム。
【請求項１６】
エンドデバイスとしての動作の間、前記少なくとも１つの残りの無線デバイスが、前記ローカルリピータによって送信されたデータパケットに基づき、前記少なくとも１つの残りの無線デバイスが関連付けられた前記光源の特性を変化させるように構成されている、請求項１３に記載のシステム。
【請求項１７】
前記複数の無線デバイスからの各無線デバイスが、第１の時点でローカルリピータとして動作し、前記第１の時点とは異なる第２の時点では、ローカルリピータではなく、エンドデバイスとして動作するように構成されている、請求項１３に記載のシステム。
【請求項１８】
前記複数の無線デバイスからの各無線デバイスが、少なくとも部分的に、各無線デバイスに関連付けられた前記複数の無線デバイスのランダム数の無線デバイスか、またはいくつかの無線デバイスの少なくとも１つに基づく計算に応じて、前記データパケットをリピートするかを判定するように構成されている、請求項１３に記載のシステム。
【請求項１９】
前記計算が、（前記ランダム数の）モジュロの計算（（各無線デバイスに関連付けられた前記複数の無線デバイスの無線デバイスの数＋２）／４）である、請求項１８に記載の装置。
【請求項２０】
前記第１の伝送パワーレベルが、２０ｄＢｍから３０ｄＢｍであり、前記第２の伝送パワーレベルが、０ｄＢｍから１０ｄＢｍである、請求項１３に記載の装置。
【発明の詳細な説明】
【技術分野】
【０００１】
関連出願の相互参照
［１００１］  本出願は、２０１６年１０月７日に出願された、「Ａｕｔｏｍａｔｅｄ  Ｓｙｓｔｅｍ  ｆｏｒ  Ｌｉｇｈｔｉｎｇ  Ｃｏｎｔｒｏｌ」と題する、米国仮出願第６２／４０５，６８１号の優先権および利益を主張する。この文献の内容示全体は、本明細書により、明白に、すべての目的に関して参照することにより、組み込まれる。
【０００２】
［１００２］  本出願は、「Ａｕｔｏｍａｔｅｄ  Ｓｙｓｔｅｍ  ｆｏｒ  Ｌｉｇｈｔｉｎｇ  Ｃｏｎｔｒｏｌ」と題する、２０１６年５月４日に出願された米国特許出願第１５／１４６，３６９号に関する。この出願は、「Ａｕｔｏｍａｔｅｄ  Ｓｙｓｔｅｍ  ｆｏｒ  Ｌｉｇｈｔｉｎｇ  Ｃｏｎｔｒｏｌ」と題する、２０１５年５月４日に出願された米国仮出願第６２／１５６，６８０号の優先権を主張する。これら文献の各々の開示は、その全体が、参照することにより、本明細書に組み込まれる。
【０００３】
［１００３］  本出願は、「Ａｕｔｏｍａｔｅｄ  Ｓｙｓｔｅｍ  ｆｏｒ  Ｌｉｇｈｔｉｎｇ  Ｃｏｎｔｒｏｌ」と題する、２０１４年１０月２３日に出願された米国特許出願第１４／５２１，８８４号に関する。この出願は、「Ａｕｔｏｍａｔｅｄ  Ｓｙｓｔｅｍ  ｆｏｒ  Ｌｉｇｈｔｉｎｇ  Ｃｏｎｔｒｏｌ」と題する、２０１３年１０月２３日に出願された米国仮特許出願第６１／８９４，８９９号の優先権を主張する。これら文献の各々の開示は、その全体が、参照することにより、本明細書に組み込まれる。
【０００４】
［１００４］  本出願は、「Ｗｉｒｅｌｅｓｓ  Ｓｅｎｓｏｒ  Ｓｙｓｔｅｍ，  Ｍｅｔｈｏｄ  ａｎｄ  Ａｐｐａｒａｔｕｓ  ｗｉｔｈ  Ｓｗｉｔｃｈ  ａｎｄ  Ｏｕｔｌｅｔ  Ｃｏｎｔｒｏｌ」と題する、２０１３年３月２１日に出願された米国特許出願第１３／８４８，６６７号に関する。この出願は、「Ｗｉｒｅｌｅｓｓ  Ｓｅｎｓｏｒ  Ｓｙｓｔｅｍ  ｗｉｔｈ  Ｓｗｉｔｃｈ  ａｎｄ  Ｏｕｔｌｅｔ  Ｃｏｎｔｒｏｌ」と題する、２０１２年３月２１日に出願された米国仮出願第６１／６１３，７５３号の優先権を主張する。これら文献の各々の開示は、その全体が、参照することにより、本明細書に組み込まれる。
【背景技術】
【０００５】
［１００５］  本明細書に記載のいくつかの実施形態は、概して、スイッチおよび差込口の制御を伴う、無線センサシステム、方法、および装置に関する。
【０００６】
［１００６］  既知のシステムが、スイッチおよび差込口への出力を遠隔から制御するために存在する。しかし、そのようなシステムは、個別のスイッチまたは差込口を制御するために、長い配線の通路を使用する場合がある。他の既知のシステムは、しばしば、バッテリ電力を使用する場合があり、実装されたバッテリを迅速に消耗させる結果となり、かつ／または、さらなる配線を使用して局所的なスイッチおよび差込口のコントローラに電力を提供する場合がある。
【発明の概要】
【発明が解決しようとする課題】
【０００７】
［１００７］  このため、スイッチおよび差込口の制御を伴う、無線センサシステム、方法、および装置に関する要請が存在する。
【課題を解決するための手段】
【０００８】
［１００８］  いくつかの実施形態では、方法には、複数の無線デバイスの第１の無線デバイスにおいて、データパケットのソースの通知を含むデータパケットを受信することが含まれている。第１の無線デバイスが、データパケットのソースに関連付けられていることに応じて、第１の無線デバイスがローカルリピータであるかを、複数の無線デバイスの、ランダム数の無線デバイスか、またはいくつかの無線デバイスのうちの少なくとも１つに少なくとも部分的に基づいて判定することができる。第１の無線デバイスがローカルリピータであると判定されるのに応じて、第１の無線デバイスは、ローカルリピータとして構成されることになる場合があり、それにより、第１の無線デバイスが、データパケットを、複数の無線デバイスの、少なくとも１つの残りの無線デバイスに送信するようになっている。第１の無線デバイスがローカルリピータではないと判定されるのに応じて、第１の無線デバイスは、データパケットをリピートしない。
【図面の簡単な説明】
【０００９】
【図１】［１００９］一実施形態に係る無線センサシステムの概略図である。
【図２】［１０１０］一実施形態に係る無線センサおよび接続箱の概略図である。
【図３】［１０１１］一実施形態に係る無線センサシステムの概略図である。
【図４】［１０１２］一実施形態に係る無線センサシステムの概略図である。
【図５】［１０１３］一実施形態に係る無線センサシステムの概略図である。
【図６】［１０１４］一実施形態に係る、ネットワーク・ゲートウェイ・デバイスに結合された無線センサの概略図である。
【図７】［１０１５］一実施形態に係る無線センサの図である。
【図８】［１０１６］一実施形態に係る無線センサの正面図である。
【図９】［１０１７］図８に示す無線センサの側面図である。
【図１０】［１０１８］一実施形態に係る無線センサおよび接続箱の概略図である。
【図１１】［１０１９］一実施形態に係る無線センサおよび接続箱の概略図である。
【図１２】［１０２０］一実施形態に係る無線センサおよび接続箱の概略図である。
【図１３】［１０２１］一実施形態に係る無線センサおよび接続箱の概略図である。
【図１４】［１０２２］一実施形態に係る無線センサおよび接続箱の概略図である。
【図１５】［１０２３］一実施形態に係る無線センサおよび接続箱の概略図である。
【図１６】［１０２４］一実施形態に係る無線センサ、面板、および接続箱の図である。
【図１７】［１０２５］一実施形態に係る無線センサのアンテナの前方斜視図である。
【図１８】［１０２６］図１７に示すアンテナの後方斜視図である。
【図１９】［１０２７］図１７に示すアンテナの第２の後方斜視図である。
【図２０】［１０２８］一実施形態に係る、接続箱内に少なくとも部分的に配置された、図１７に示すアンテナの前方斜視図である。
【図２１】［１０２９］一実施形態に係る、接続箱内に少なくとも部分的に配置された、図１７に示すアンテナの後方斜視図である。
【図２２】［１０３０］一実施形態に係る、接続箱内に少なくとも部分的に配置された、図１７に示すアンテナの第２の後方斜視図である。
【図２３】［１０３１］一実施形態に係る照明制御システムの概略図である。
【図２４】［１０３２］一実施形態に係る照明制御システムの一部の概略図である。
【図２５】［１０３３］一実施形態に係る、クラウドサーバに接続されたプロキシサーバとインターフェースする複数のゲートウェイの概略図である。
【図２６Ａ】［１０３４］第１の実施形態に係る無線スイッチの概略図である。
【図２６Ｂ】第２の実施形態に係る無線スイッチの概略図である。
【図２７】［１０３５］一実施形態に係る照明制御システムの動作方法のフローチャートの概略図である。
【発明を実施するための形態】
【００１０】
［１０３６］  いくつかの実施形態では、本方法は、空間に関するタイムアウトタイマが閾値を超えたことを示す信号を受信することを含んでいる。モーションセンサが空間内に配されている場合、本方法は、光源に動作可能に結合された無線コントローラに、無線コントローラがデフォルトの状態に戻るように、信号を送信することを含んでいる。（１）モーションセンサが空間内に配されておらず、（２）光センサが空間内に配されている場合、本方法は、無線コントローラに、無線コントローラが光センサによって制御されるように、信号を送信することを含んでいる。
【００１１】
［１０３７］  いくつかの実施形態では、本方法は、光センサから、空間のルクスレベルが、所定のレベル未満であることを示す信号を受信すること、および、無線コントローラに信号を送信して、空間内のライトを明るくすることを含んでいる。いくつかの実施形態では、本方法は、光センサから、空間のルクスレベルが、所定のレベルより上であることを示す信号を受信すること、および、無線コントローラが、空間内のライトを暗くするように、無線コントローラに信号を送信することを含んでいる。いくつかの実施形態では、モーションセンサが空間内に配置されている場合、本方法は、モーションセンサからの、空間が占有されていることの通知に応じて、タイムアウトタイマをリセットすることを含んでいる。いくつかの実施形態では、タイムアウトタイマは、３０分に設定されている。いくつかの実施形態では、（１）モーションセンサが空間内に配されておらず、（２）光センサが空間内に配されていない場合、本方法は、空間が占有される予定になっていないことの通知に応じて、無線コントローラがデフォルトの状態に戻るように、無線コントローラに信号を送信することを含んでいる。そのような実施形態のいくつかでは、デフォルトの状態はオフである。
【００１２】
［１０３８］  いくつかの実施形態では、装置には、ネットワーク・ゲートウェイ・デバイスが含まれている。ネットワーク・ゲートウェイ・デバイスは、（１）無線スイッチ、（２）空間内に配された光センサ、および、（３）あるルクスレベルを空間内に提供するように構成されたライトに結合された無線コントローラに、無線で結合されるように構成されている。ネットワーク・ゲートウェイ・デバイスは、光センサから、空間の環境光レベルの通知を受信するように構成されている。ネットワーク・ゲートウェイ・デバイスは、無線スイッチから、ライトをオンにすることの要求を示す信号を受信するように構成されている。ネットワーク・ゲートウェイ・デバイスは、ライトに、空間の環境光に基づき、輝度をある量まで増大させるように構成されたコマンドを、無線コントローラに送信するように構成されている。
【００１３】
［１０３９］  いくつかの実施形態では、ネットワーク・ゲートウェイ・デバイスは、タイムアウトタイマが閾値を超えたことを示す信号を受信するように構成されており、また、モーションセンサが空間内に配置されている場合、ネットワーク・ゲートウェイ・デバイスは、無線コントローラがデフォルトの状態に戻るように、無線コントローラに信号を送信するように構成されている。そのような実施形態のいくつかでは、デフォルトの状態はオンである。いくつかの実施形態では、ネットワーク・ゲートウェイ・デバイスは、空間内に配置されたモーションセンサの識別を含むデータパケットを受信するように構成されており、ネットワーク・ゲートウェイ・デバイスは、モーションセンサを、無線コントローラと関連付けるように構成されている。いくつかの実施形態では、ネットワーク・ゲートウェイ・デバイスは、光センサから、空間のルクスレベルの通知を受信するように構成されており、ネットワーク・ゲートウェイ・デバイスは、ライトの輝度レベルを変化させて、空間内のルクスレベルを所定のレンジ内に維持するように、無線コントローラに信号を送信するように構成されている。いくつかのそのような実施形態では、所定のレンジは、３５０と４５０との間である。いくつかの実施形態では、ネットワーク・ゲートウェイ・デバイスは、無線コントローラに、２つのチャンネルを介して同時に無線で結合している。
【００１４】
［１０４０］  いくつかの実施形態では、装置には、あるルクスレベルを選択的に空間に提供するように構成されたライトに動作可能に結合されるように構成された無線コントローラが含まれている。無線コントローラは、（１）光センサに無線で結合されたネットワーク・ゲートウェイ・デバイスと、（２）無線スイッチとに、無線で結合されるように構成されている。無線コントローラは、ネットワーク・ゲートウェイ・デバイスから、無線スイッチからの要求をネットワーク・ゲートウェイ・デバイスが受信するのに応じて、その空間のルクスレベルを示す光センサからのデータに基づき、ライトの明るさをある量だけ増大させる命令を受信するように構成されている。無線コントローラは、ライトの明るさを増大させるように、ライトに信号を送信するように構成されている。
【００１５】
［１０４１］  いくつかの実施形態では、無線コントローラは、有線で電力が供給されるように構成され、無線スイッチは、バッテリで電力が供給されるように構成されている。いくつかの実施形態では、無線コントローラは、光センサから受信されたすべてのパケットをネットワーク・ゲートウェイ・デバイスへリピートすることにより、光センサをネットワーク・ゲートウェイ・デバイスに無線で結合するように構成されている。いくつかの実施形態では、無線コントローラは、ネットワーク・ゲートウェイ・デバイスとの接続の欠如の通知を受信するように構成されており、無線コントローラは、接続の欠如に応じて、オン状態に戻るように構成されている。いくつかの実施形態では、無線コントローラは、（１）タイムアウトタイマが閾値を超えたことを示す信号、および、（２）モーションセンサからの、空間が占有されていないことの通知を、ネットワーク・ゲートウェイ・デバイスが受信するのに応じて、デフォルトの状態に戻るように、ネットワーク・ゲートウェイ・デバイスから、信号を受信するように構成されている。
【００１６】
［１０４２］  いくつかの実施形態では、本方法は、空間に関するタイムアウトタイマが閾値を超えたことを示す信号を受信することを含んでいる。モーションセンサが空間内に配されている場合、本方法は、空間内の光源に動作可能に結合された無線コントローラに、無線コントローラがデフォルトの状態に戻るように、信号を送信することを含んでいる。（１）モーションセンサが空間内に配されておらず、（２）空間が占有される予定になっていないことの通知が受信された場合、本方法は、無線コントローラがデフォルトの状態に戻るように、無線コントローラに信号を送信することを含んでいる。
【００１７】
［１０４３］  いくつかの実施形態では、（１）モーションセンサが空間内に配されておらず、（２）空間が占有される予定になっていることの通知が受信された場合、本方法は、無線コントローラに、現在の状態を継続させることを含んでいる。いくつかの実施形態では、本方法は、バッテリから電力が供給される静電タッチスイッチから、光源の明るさを増大させることの要求を示す信号を受信することを含んでいる。いくつかの実施形態では、本方法は、バッテリから電力が供給される静電タッチスイッチから、光源の明るさを低減させることの要求を示す信号を受信することを含んでいる。いくつかの実施形態では、本方法は、バッテリから電力が供給される静電タッチスイッチから、光源をオフにすることの要求を示す信号を受信することを含んでいる。
【００１８】
［１０４４］  いくつかの実施形態では、方法には、複数の無線デバイスの第１の無線デバイスにおいて、データパケットのソースの通知を含むデータパケットを受信することが含まれている。第１の無線デバイスが、データパケットのソースに関連付けられていることに応じて、第１の無線デバイスがローカルリピータであるかを、複数の無線デバイスの、ランダム数の無線デバイスか、またはいくつかの無線デバイスのうちの少なくとも１つに少なくとも部分的に基づいて判定することができる。第１の無線デバイスがローカルリピータであると判定されるのに応じて、第１の無線デバイスは、ローカルリピータとして構成されることになる場合があり、それにより、第１の無線デバイスが、データパケットを、複数の無線デバイスの、少なくとも１つの残りの無線デバイスに送信するようになっている。第１の無線デバイスがローカルリピータではないと判定されるのに応じて、第１の無線デバイスは、データパケットをリピートしない。
【００１９】
［１０４５］  いくつかの実施形態では、装置は、トランシーバおよびプロセッサを有する第１の無線デバイスを含んでいる。プロセッサは、トランシーバに動作可能に結合され得る。トランシーバは、データパケットを受信するように構成することができ、プロセッサは、少なくとも部分的に、第１の無線デバイスがデータパケットのソースに関連付けられていることに応じて、データパケットをリピートするかを判定するように構成することができる。トランシーバは、第１の時点では、第１の無線デバイスの動作の間に、データパケットをリピートするように判定されるのに応じて、データパケットをリピートするように構成することができる。トランシーバは、第１の時点とは異なる第２の時点では、第１の無線デバイスの動作の間に、データパケットをリピートしないように判定されるのに応じて、データパケットをリピートしないように構成することができる。
【００２０】
［１０４６］  いくつかの実施形態では、システムは、データパケットをリピートするように構成されたネットワークリピータと、このネットワークリピータに動作可能に結合された複数の無線デバイスとを含んでいる。ネットワークリピータは、第１の伝播距離に関連付けられた第１の伝送パワーレベルを有することができる。複数の無線デバイスからの各々の無線デバイスは、複数の無線デバイスの残りの無線デバイスに動作可能に結合させ、複数の光源からの、ある光源に関連付けることができる。複数の無線デバイスの各無線デバイスは、ローカルリピータとして動作するかを個別に判定するように構成することができ、それにより、複数の無線デバイスの少なくとも１つの無線デバイスが、ローカルリピータとして動作し、また、複数の無線デバイスの残りの無線デバイスの少なくとも１つが、ローカルリピータではなくエンドデバイスとして動作するようになっている。ローカルリピータは、第２の伝播距離に関連付けられた第２の伝送パワーレベルにおいて、データパケットをリピートするように構成することができる。第２の伝送パワーレベルは、第１の伝送パワーレベル未満とすることができ、第２の伝播距離は、第１の伝播距離未満とすることができる。
【００２１】
［１０４７］  無線センサシステムは、たとえば、建物の部屋の環境的特性、たとえば、プラグが使用中であるかなどの無線センサ自体の特性を測定および監視するため、および／または、部屋もしくは無線センサの特性に作用するように、使用することができる。例として、無線センサは、ライトまたは差込口を制御している電気スイッチが開いているか閉じているかを検知および／または制御するように構成された、ライトまたは差込口のスイッチを含むことができる。別の例では、無線センサは、あるエリア内の一酸化炭素のレベルを測定するように構成された、一酸化炭素センサを含むことができる。いくつかの実施形態では、無線センサシステムの態様は、既存のシステムに追加の変更を行う必要なく、既存のシステムに後付けすることができる。たとえば、本明細書に記載のライトスイッチのタイプの無線センサは、さらなる配線、接続箱の交換などを必要とすることなく、既存のライトスイッチと置き換えることができる。
【００２２】
［１０４８］  本明細書で使用される場合、単数の形態「ａ」、「ａｎ」、および「ｔｈｅ」は、文脈で別様に規定されていない限り、複数の参照も含んでいる。このため、たとえば、「ａ  ｄａｔａ  ｐａｃｋｅｔ（データパケット）」との用語は、１つのデータパケットまたはデータパケットの組合せを意味することが意図されている。
【００２３】
［１０４９］  図１は、一実施形態に係る無線センサシステム（「システム」）１００の概略図であり、システム１００は、無線センサ１１０を含んでいる。いくつかの実施形態では、無線センサ１１０の少なくとも一部が、電気エンクロージャ（図示せず）内に配置されている場合がある。システム１００は、無線リピータ１３０、無線リピータ１３０’、およびネットワーク・ゲートウェイ・デバイス１４０を含んでいる。
【００２４】
［１０５０］  システム１００は、無線センサ１１０を含んでいる。この無線センサ１１０は、無線センサ１１０の特性、および／または、この無線センサ１１０が位置している部屋の特性を測定するように構成されている。いくつかの実施形態では、無線センサ１１０は、たとえば、温度、圧力、炭素ガスレベル、湿度などを測定するために、環境センサを含むことができる。いくつかの実施形態では、無線センサ１１０は、たとえば、モーション、光レベル、近接、接触などを測定するために、エリアセンサを含むことができる。いくつかの実施形態では、無線センサ１１０は、たとえば、エネルギー消費、スイッチの状態、差込口の状態などを測定および／または制御するために、電気センサを含むことができる。いくつかの実施形態では、無線センサ１１０の少なくとも一部は、電気エンクロージャ内に配置することができる。いくつかの実施形態では、電気エンクロージャは、たとえば、壁および／または他の支持部の中および／または上に配置されるように構成されるとともに、１つまたは複数の電気接続および／または、たとえばスイッチ、差込口などの関連する構成要素を収容するように構成された、金属および／またはプラスチックの箱などの、標準的な電気接続箱とすることができる。いくつかの実施形態では、電気エンクロージャは、概して、接地されたエンクロージャ（たとえば、照明設備、ブレーカボックス、分電盤など）などの、通常はＡＣまたはＤＣの有線電気接続を収容するために使用される、任意のエンクロージャとすることができる。いくつかの実施形態では、無線センサ１１０は、センサモジュール（図１には図示せず）と、プロセッサモジュール（図１には図示せず）と、第１の無線モジュール（図１には図示せず）と、第２の無線モジュール（図１には図示せず）と、第１のアンテナ（図１には図示せず）と、第２のアンテナ（図１には図示せず）とを含むことができる。いくつかの実施形態では、無線センサ１１０は、バッテリ（図示せず）、スイッチ（図示せず）、アナログデジタル変換器（図示せず）、ポート（図示せず）、インターフェース（図示せず）などを含むことができる。いくつかの実施形態では、無線センサ１１０は、他の無線センサに関し、たとえば以下に記載の無線リピータ１３０と同じように、無線リピータとして動作することができる。
【００２５】
［１０５１］  無線センサ１１０は、無線センサ１１０の特性の値、および／または、無線センサ１１０が位置する環境の値を測定するためのセンサモジュールを含むことができる。たとえば、センサモジュールは、環境の値（温度、圧力、モーションなど）、モーションおよび／もしくは占有の値、ならびに／または、無線センサ１１０に関連する電気構成要素の特性および／もしくは状態（開いているか閉じているライトスイッチ、差し込まれているか使用中の電気差込口など）を測定することができる。いくつかの実施形態では、センサモジュールは、プロセッサモジュールに含めることができる。センサモジュールは、事象に応じてなど、所定の時間において、および／または、所定のスケジュールで、値を測定することができる。センサモジュールは、測定値をプロセッサモジュールに提供することができる。いくつかの実施形態では、センサモジュール１１０は、所定の時間および／またはスケジュールに基づいて測定を促すために、クロックモジュール（図示せず）を含むことができる。そのような実施形態では、クロックモジュールは、約５％から１０％の「ゆるい公差（ｌｏｏｓｅ  ｔｏｌｅｒａｎｃｅ）」を含むことができる。そのような実施形態では、クロックモジュールは、ゆるい公差を実装するための、ＲＣベースの振動子を含むことができる。そのような実施形態では、ＲＣベースの振動子は、プロセッサモジュールに含めることができる。この方式で、ほぼ同じセッティングを有するクロックモジュールを各々が含む２つ以上の無線センサ１１０を含むシステム１００は、無線機／アンテナのセットを介して、異なる時点で信号を送信して、通信の衝突を低減することができる。いくつかのそのような実施形態では、クロックは、測定がいつ行われたか、および／または、測定値を含むデータパケットがいつ送信されたかを判定することができる。値を測定するため、および／または、関連するパケットを送信するための所定の時間は、プルグラムされるか、入力デバイスを介してユーザによって調整可能であるか、事象によって駆動されるか、ランダムに引き出されるか、ネットワーク・ゲートウェイ・デバイス１４０によって設定され得る。
【００２６】
［１０５２］  無線センサ１１０は、センサモジュールの測定に関連する値を含む少なくとも１つのデータパケットを規定するために、プロセッサモジュールを含むことができる。センサモジュールは、１つまたは複数のデータパケットの１つまたは複数のコピーを規定することができる。データパケットは、センサデータ（たとえば、センサモジュールによって取得された測定値）、制御データ（たとえば、スイッチが開いたか閉じた）、制御リクエスト（たとえば、スイッチが開かれるか閉じられるかするものとする）、ネットワーク識別情報（たとえば、ノード識別番号、ネットワーク識別番号）、セキュリティ情報（たとえば、データ暗号化キー）などを含むことができる。プロセッサモジュールは、コンピュータプロセッサもしくはマイクロプロセッサ、および／または、メモリ、たとえば、ランダム・アクセス・メモリ（ＲＡＭ）、メモリバッファ、ハードドライブ、データベース、消去可能なプログラマブル・リード・オンリ・メモリ（ＥＰＲＯＭ）、電気的に消去可能なリード・オンリ・メモリ（ＥＥＰＲＯＭ）、および／または類似のメモリを含むことができる。メモリは、無線センサ１１０、リピータ１３０、１３１’、またはネットワーク・ゲートウェイ・デバイス１４０を制御するか、またはデータを通信するように使用するために、限定ではないが、スケジュール、セットポイント、指示などのデータを保持するために使用することができる。この方式で、プロセッサモジュールは、少なくとも１つのデータパケットおよび、少なくとも１つのデータパケットの１つまたは複数のコピーを記憶し、第１の無線機および／または第２の無線機に、異なる時点で送信することができる。この方式で、無線センサ１１０は、測定値、制御データ、制御リクエストなどを含む場合があるデータパケットを、２つ以上の時点で、２つ以上のアンテナから、送信することができる。
【００２７】
［１０５３］  無線センサ１１０は、無線センサ１１０からの測定値、制御データ、制御リクエストなどを含むデータパケットを、たとえば無線リピータ１３０、１３０’に送信するために、たとえば、第１の送信機のセット（たとえば、第１の無線機および関連する第１のアンテナ）、ならびに第２の送信機のセット（たとえば、第２の無線機および関連する第２のアンテナ）などの、１つまたは複数の送信機のセットを含むことができる。送信機のセットは、任意の変調タイプ、たとえば、直接シーケンススペクトラム拡散（ＤＳＳＳ：Ｄｉｒｅｃｔ  Ｓｅｑｕｅｎｃｅ  Ｓｐｒｅａｄ  Ｓｐｅｃｔｒｕｍ）または周波数ホッピングスペクトラム拡散（ＦＨＳＳ：Ｆｒｅｑｕｅｎｃｙ  Ｈｏｐｐｉｎｇ  Ｓｐｒｅａｄ  Ｓｐｅｃｔｒｕｍ）を使用して、データパケットを送信することができる。いくつかの実施形態では、ＤＳＳＳとＦＳＳＳとのハイブリッドシステム、周波数ホッピング直接シーケンススペクトラム拡散（ＦＨＤＳＳＳ）を、データパケットを周波数と時間との両方にわたって拡散するのに使用して、他の送信機のセット（たとえば、無線センサ１１０、別の無線センサ、または、送信機セットを含む別のデバイス内）からの干渉の可能性を低減することができる。ハイブリッドシステムでは、データパケットは、チャンネルからチャンネルにホップして、強固さを増大させることができるＤＳＳＳ信号を使用して送信することができる。いくつかの実施形態では、第１のアンテナおよび／または第２のアンテナは、ダイポールアンテナ（たとえば、全方向性アンテナ）とすることができるか、またはパッチアンテナ（たとえば、指向性アンテナ）とすることができる。
【００２８】
［１０５４］  いくつかの実施形態では、無線センサ１１０の各送信機セットは、異なるチャンネル上で、実質的に同時に動作することができる。いくつかの実施形態では、無線センサ１１０の送信機セットは、２つ以上の異なるチャンネル上で、連続して動作することができる。この方式で、無線センサ１１０は、システム１００の他の構成要素が、特定のチャンネル上で動作していることを確認する必要がない場合がある。換言すると、データパケットのコピーをシステム１００の複数のチャンネル上で送信することにより、システム１００の他の構成要素は、データパケット、および／または、データパケットのコピーの少なくとも１つを受信するものとする。いくつかのそのような実施形態では、以下に論じるように、システム１００の他の構成要素は、複数の送信機セットを含むことができ、それにより、これら構成要素が、データパケットおよび／またはデータパケットのコピーの少なくとも１つを受信できるようになっている。そのような実施形態では、複数の時点および／または複数のチャンネル上で、データパケットおよび／またはデータパケットのコピーを送信するために使用されるエネルギー量は、構成要素が特定のチャンネル上で動作していることを確認するために使用されるエネルギーより低い場合がある。そのような実施形態では、第１のチャンネルおよび第２のチャンネルは、潜在的な干渉の発生源を他のチャンネルが避ける可能性を最大にするために、実質的に周波数帯の両端である場合がある。例として、無線センサ１１０は、９０２ＭＨｚから９２８ＭＨｚのバンドにおいて、９０３ＭＨｚの第１のチャンネル、および、９２７ＭＨｚの第２のチャンネルで、実質的に同時か連続して送信することができる。
【００２９】
［１０５５］  いくつかの実施形態では、上述のように、無線センサ１１０は、データパケットおよび／またはデータパケットのコピーを、２つ以上のチャンネル上で、および、２以上の時点で、送信することができる。そのような実施形態では、無線センサ１１０は、電力供給源（たとえば、バッテリ）の電力を温存するために、時間の一部の間、スリープモード（または、動作の他の低電力もしくはゼロ電力モード）とすることができる。所定のインターバルおよび／またはスケジュールで、無線センサ１１０は、スリープモードから目覚めることができ、また、アクティブモードとすることができる。無線センサ１１０は、特性の値を測定し、その値を含むデータパケットを規定することができる。無線センサ１１０は、制御データまたは制御リクエストを含むデータパケットを規定することができる。そのような実施形態では、上述のように、無線センサ１１０は、データパケットを、第１の送信機セットを介して、第１の時点で送信し、次いで、第１の送信機セットからのデータパケットの第１のコピーを、第１の時点の後の第２の時点で送信することができる。そのような実施形態では、無線センサ１１０は、データパケットの第２のコピーを、第２の送信機セットを介して、第３の時点で送信し、次いで、第２の送信機セットからのデータパケットの第３のコピーを、第３の時点の後の第４の時点で送信することができる。
【００３０】
［１０５６］  いくつかの実施形態では、無線センサ１１０は、ネットワークＩＤ、セキュリティの特徴、および無線センサ識別番号を含む、システム１００のセットアップのためのデータを受信することができる。いくつかの実施形態では、システム１００のセットアップの後に、無線センサ１１０は、送信専用無線センサに指定することができる。いくつかの実施形態では、無線センサ１１０は、ステータスリクエストのデータパケットをネットワーク・ゲートウェイ・デバイス１４０に、無線リピータ１３０および、必要であれば無線リピータ１３０’を介して、周期的に送信することができ、また、推薦を受信するための送信／受信デバイスと称することができる。
【００３１】
［１０５７］  システム１００は、無線センサ１１０および／または無線リピータ１３０’からデータパケットを受信し、データパケットをネットワーク・ゲートウェイ・デバイス１４０に送信するように構成された無線リピータ１３０を含んでいる。システム１００は、無線リピータ１３０に類似であり、無線センサ１１０からデータパケットを受信し、データパケットを無線リピータ１３０に送信するように構成された無線リピータ１３０’を含んでいる。無線リピータ１３０、１３０’は、コンピュータ／マイクロプロセッサもしくはマイクロプロセッサ、および／または、メモリ、たとえば、ランダム・アクセス・メモリ（ＲＡＭ）、メモリバッファ、ハードドライブ、データベース、消去可能なプログラマブル・リード・オンリ・メモリ（ＥＰＲＯＭ）、電気的に消去可能なリード・オンリ・メモリ（ＥＥＰＲＯＭ）、および／または類似のメモリを含むことができる。メモリは、無線センサ１１０、リピータ１３０、１３１’、またはネットワーク・ゲートウェイ・デバイス１４０を制御するか、またはデータを通信するように使用するために、限定ではないが、スケジュール、セットポイント、指示などのデータを保持するために使用される場合がある。この方式で、無線リピータ１３０、１３０’は、所定の期間の間、受信したデータパケットをバッファ内に記憶することができる。いくつかの実施形態では、無線リピータのバッファは、受信したデータパケットを記憶することができ、また、データパケットを、バッファ内の他のデータパケット、および／または、最近受信および／または転送されたデータパケットと比較することができる。そのような実施形態では、無線リピータは、重複するデータパケットを捨てることができる。例として、無線リピータ１３０は、第１のデータパケットを無線センサ１１０から受信することができ、また、第１のデータパケットと同一である第２のデータパケットを、無線センサ１１０から無線リピータ１３０’を介して受信することができる。そのような実施形態では、無線リピータ１３０は、第１のデータパケットまたは第２のデータパケットを、たとえば、どちらが最初に受信されたか（たとえば、先入れ先出し法、「ＦＩＦＯ」）、どちらがより高い受信信号強度を有しているか、および／または、別のメトリックに基づき、捨てることができる。いくつかの実施形態では、無線リピータ１３０は、ある期間、たとえば５秒の後に、パケットを捨てることができる。
【００３２】
［１０５８］  無線リピータ１３０、１３０’は、データパケットを含む信号を受信および／または送信するための少なくとも１つの送信機セットを含むことができる。いくつかの実施形態では、無線リピータ１３０、１３０’は、少なくとも無線センサ１１０と同数の送信機セットを含むことができる。この方式で、無線リピータ１３０、１３０’は、無線センサ１１０から送信された任意のデータパケットを送受信することができる。例として、無線センサ１１０は、第１のチャンネル上で、第１の時点および第２の時点でデータパケットを送信する第１の送信機セットを含むことができ、また、第２のチャンネル上で、第３の時点および第４の時点でデータパケットを送信する第２の送信機セットを含むことができる。そのような例では、無線リピータ１３０、１３０’は、第１のチャンネル上で動作する第１の送信機セットと、第２のチャンネル上で動作する第２の送信機セットとを含むことができ、それにより、無線リピータ１３０、１３０’のいずれかが、データパケットの４つのコピーを受信することができる。例として、無線センサ１１０は、第１のチャンネル上で第１の時点に、および、第２のチャンネル上で第２の時点に、データパケットを送信する第１の送信機セットを含むことができる。そのような例では、無線リピータ１３０、１３０’の各々は、第１のチャンネル上で動作する第１の送信機セットと、第２のチャンネル上で動作する第２の送信機セットとを含むことができ、それにより、無線リピータ１３０、１３０’のいずれかが、チャンネル間で切り換える必要なしに、データパケットの２つのコピーを受信することができる。そのような例では、システム１００は、複数の周波数、複数の時点、複数のデータパス、および複数のアンテナを含むことができる。すなわち、システム１００は、周波数の多様性、時点の多様性、空間的多様性、およびアンテナの多様性を有している。別の言い方をすると、システム１００は、同時発生する周波数、時点、空間、およびアンテナの多様性を有している。別の例として、無線リピータ１３０、１３０’の各々は、第１のチャンネル上で第１の時点に、データパケットを送信するか受信する第１の送信機のセット、および、第２のチャンネル上で第２の時点に、データパケットを送信するか受信する第２の送信機セットを含むことができる。そのような例では、第１の時点および第２の時点は、重なっている場合がある。
【００３３】
［１０５９］  いくつかの実施形態では、無線リピータ１３０、１３０’は、データパケットを受信すると、受信した信号強度の通知（ＲＳＳＩ）を計算することができる。そのような実施形態では、無線リピータ１３０、１３０’は、たとえば、データパケットのペイロードの終わりに、このデータをデータパケットに加えることができる。この方式で、ネットワーク・ゲートウェイ・デバイス１４０は、無線センサ１１０とネットワーク・ゲートウェイ・デバイス１４０との間のホップの各々に関し、ＲＳＳＩデータを試験することができる。いくつかのそのような実施形態では、ネットワーク・ゲートウェイ・デバイス１４０は、無線センサ１１０とネットワーク・ゲートウェイ・デバイス１４０との間のホップの数を判定するために、加えられたデータを使用することができる。そのような実施形態では、ネットワーク・ゲートウェイ・デバイス１４０は、実際に使用されるホップの数を、予期される数のホップと比較して、たとえば、システム１００の効率および／または調子を判定することができる。
【００３４】
［１０６０］  システム１００は、無線リピータ１３０、１３０’から、または、直接無線センサ１１０からデータパケットを受信するように構成されたネットワーク・ゲートウェイ・デバイス１４０を含んでいる。ネットワーク・ゲートウェイ・デバイス１４０は、無線プロトコルを使用して、たとえば、１つまたは複数の送信機セットで、データパケットを受信することができ、また、ネットワーク・ゲートウェイ・デバイス１４０に結合された有線ネットワーク（図示せず）を介してさらに送信するために、データパケットを有線プロトコルに変換することができる。例として、ネットワーク・ゲートウェイ・デバイス１４０は、無線フォーマット、たとえば、８０２．１５．４、Ｗｉｆｉ、セルラ（ＧＳＭ、ＣＤＭＡなど）、またはサテライトで受信したデータパケットを変形し、また、それらデータパケットを、１）Ｅｔｈｅｒｎｅｔ：ＢＡＣｎｅｔ／ＩＰ、ＢＡＣｎｅｔ／Ｅｔｈｅｒｎｅｔ、Ｍｏｄｂｕｓ  ＴＣＰ、Ｅｔｈｅｎｅｔ／ＩＰ、Ｏｍｒｏｎ  ＦＩＮＳ、ＤＮＰ３、ＳＮＭＰ、ＸＭＬ、２）ＲＳ−４８５：ＢＡＣｎｅｔ／ＭＳＴＰ、Ｍｅｔａｓｙｓ  Ｎ２、Ｍｏｄｂｕｓ  ＲＴＵ、ＪＢｕｓ、ＤＮＰ、ＹｏｒｋＴａｌｋ、Ａｌｌｅｎ  Ｂｒａｄｌｅｙ  ＤＦ１、および３）ＦＴＴ−１０：ＬｏｎＷｏｒｋｓなどの、異なる無線プロトコルおよび／または有線プロトコルに変換することができる。いくつかの実施形態では、ネットワーク・ゲートウェイ・デバイス１４０は、たとえば８０２．１５．４、Ｗｉｆｉ、セルラ（ＧＳＭ、ＣＤＭＡなど）、またはサテライト無線ネットワークなどの無線ネットワーク（図示せず）を介してさらに送信するために、データパケットを無線プロトコルに変換することができる。そのような実施形態では、ネットワーク・ゲートウェイ・デバイスまたは無線リピータは、１つまたは複数の入力／出力を有することができ、各入力／出力は、異なるプロトコルを使用して動作するように構成されている。例として、建物に関し、ネットワーク・ゲートウェイ・デバイス１４０は、建物の加熱、換気、および空調システムとの通信のためのＢＡＣｎｅｔ／ＩＰプロトコルを使用して動作する第１の入力／出力を含むことができ、ブラウザベースのページ上で見るために、インターネットなどのネットワークを介して通信するためのＴＣＰ／ＩＰプロトコルを使用して動作する第２の入力／出力を含むことができ、また、ローカル（たとえば、ネットワーク・ゲートウェイ・デバイス１４０における）通信、構成などのために、シリアルバス接続（たとえば、ユニバーサル・シリアル・バス）を使用して動作する第３の入力／出力を含むことができる。入力／出力は、たとえば、監視、グラフ化、警告（ｅメール、テキストメッセージ、または他の方法を介する）、無線ネットワークのセットアップなどのために、使用することができる。
【００３５】
［１０６１］  上述の無線リピータ１３０、１３０’と同様に、いくつかの実施形態では、ネットワーク・ゲートウェイ・デバイス１４０は、無線センサ１１０および／または無線リピータ１３０、１３０’と同数の送信機を含むことができる。この方式で、ネットワーク・ゲートウェイ・デバイス１４０は、無線センサ１１０から、および／または無線リピータ１３０、１３０’から送信された任意のデータパケットを送信および／または受信することができる。無線リピータ１３０、１３０’および無線センサ１１０と同様に、ネットワーク・ゲートウェイ・デバイス１４０は、コンピュータ／マイクロプロセッサ、および／または、メモリ、たとえば、ランダム・アクセス・メモリ（ＲＡＭ）、メモリバッファ、ハードドライブ、データベース、消去可能なプログラマブル・リード・オンリ・メモリ（ＥＰＲＯＭ）、電気的に消去可能なリード・オンリ・メモリ（ＥＥＰＲＯＭ）、および／または類似のメモリを含むことができる。メモリは、無線センサ１１０、リピータ１３０、１３１’、またはネットワーク・ゲートウェイ・デバイス１４０を制御するか、またはデータを通信するように使用するために、限定ではないが、スケジュール、セットポイント、指示などのデータを保持するために使用することができる。この方式で、ネットワーク・ゲートウェイ・デバイス１４０は、上述のように、たとえば、第１のプロトコルから第２のプロトコルへの変換の前および／もしくは後に、または、１つまたは複数の入力／出力からデータを受信したことに応じて、データパケットを記憶および送信することができる。
【００３６】
［１０６２］  いくつかの実施形態では、ネットワーク・ゲートウェイ・デバイス１４０は、無線センサ１１０および無線リピータ１３０、１３０’が動作するチャンネル（または、複数の伝送セットの実施形態に関しては、複数のチャンネル）の周波数を調整することができる。そのような実施形態では、ネットワーク・ゲートウェイ・デバイスは、チャンネル（複数の場合もある）および／またはネットワークＩＤを切り換えるための周期的な指示を送信することができる。そのような実施形態では、ネットワーク・ゲートウェイ・デバイス１４０は、そのような指示を、たとえば１０秒毎に送信することができる。いくつかの実施形態では、たとえばチャンネル（複数の場合もある）を変更するように、指示が送信されたか、および、その指示が何を含むかは、ネットワークの調子、たとえば、データパケットが取ったホップの数、データパケットの送信のＲＳＳＩなどに基づくものとすることができる。いくつかの実施形態では、ネットワーク・ゲートウェイ・デバイス１４０は、セキュリティキーなどのセキュリティデータを、無線で、または有線接続を介して、無線センサ１１０および無線リピータ１３０、１３０’に送信することにより、無線システム１００のセキュリティを調整することができる。
【００３７】
［１０６３］  図２は、少なくとも部分的に電気エンクロージャ２２０内に配置された無線センサ２１０の概略図である。無線センサ２１０は、上述の無線センサと類似とすることができ、かつ、上述の無線センサと類似の構成要素を含むことができる。たとえば、無線センサ２１０は、無線センサ１１０に関して上述したプロセッサに類似とすることができる、プロセッサ２１６を含むことができる。無線センサ２１０は、センサモジュール２１４、プロセッサ２１６、無線機２６２、無線機２６２’、アンテナ２６４、およびアンテナ２６４’を含んでいる。いくつかの実施形態では、無線機２６２、２６２’は、２つ以上のアンテナを含むことができ、たとえば、無線機２６２は、アンテナ２６４を含み、また、第２のアンテナ（図示せず）を含むことができる。そのような実施形態では、無線センサ２１０は、無線機２６２によって使用するために、より強いＲＳＳＩを有する、アンテナ２６４または第２のアンテナのどちらでも選択することができる。
【００３８】
［１０６４］  図３は、一実施形態に係る無線センサシステム（「システム」）３００の概略図を示しており、システム３００は、システム１００と類似とすることができ、また類似の構成要素を含むことができる。たとえば、システム３００は、無線センサ１１０に類似の無線センサ３１０を含み、また、その少なくとも一部を、電気エンクロージャ（図示せず）内に配置することができる。システム３００は、無線リピータ３３０、無線リピータ３３０’、およびネットワーク・ゲートウェイ・デバイス３４０を含んでいる。図１に示す無線センサ１１０とは異なり、無線センサ３１０は、電気エンクロージャ３２０のエネルギー供給源（図示せず）とは独立して、無線センサ３１０にエネルギーを供給するように構成されたエネルギー源３１２を含んでいる。いくつかの実施形態では、エネルギー源３１２は、バッテリ、たとえば、２５年以上化学的に継続することができる、リチウムチオニル塩化物またはリチウムイオン二硫化物などの安定したバッテリ用化学物質を使用するバッテリを含むことができる。いくつかの実施形態では、エネルギー源３１２は、単独で、またはバッテリと組み合わせて、エネルギーハーベスタを含むことができる。いくつかの実施形態では、エネルギー採取デバイスは、たとえば、「ＭＥＴＨＯＤ  ＡＮＤ  ＡＰＰＡＲＡＴＵＳ  ＦＯＲ  ＨＩＧＨ  ＥＦＦＩＣＩＥＮＣＹ  ＲＥＣＴＩＦＩＣＡＴＩＯＮ  ＦＯＲ  ＶＡＲＩＯＵＳ  ＬＯＡＤＳ」と題する、米国特許第７，８６８，４８２号に記載のエネルギー採取デバイスに類似のものとすることができる。この文献は、参照することにより、本明細書に組み込まれる。
【００３９】
［１０６５］  図４は、一実施形態に係る無線センサシステム（「システム」）４００の概略図である。システム４００は、システム１００と類似とすることができ、また類似の構成要素を含むことができる。たとえば、システム４００は、無線センサ１１０に類似の無線センサ４１０を含み、また、その少なくとも一部を、電気エンクロージャ（図示せず）内に配置することができる。システム４００は、無線リピータ４３０、無線リピータ４３０’、およびネットワーク・ゲートウェイ・デバイス４４０を含んでいる。図１に示すシステム１００とは異なり、システム４００は、ネットワーク・ゲートウェイ・デバイス４４０’を含んでいる。そのような実施形態では、ネットワーク・ゲートウェイ・デバイス４４０、４４１’は、無線センサ４１０および無線リピータ４３０、４３０’からデータパケットを受信するように構成することができる。この方式で、ネットワーク・ゲートウェイ・デバイス４４０、４４０’の一方が欠落する場合、ネットワーク・ゲートウェイ・デバイス４４０、４４０’の他方が動作を継続することができる。いくつかの実施形態では、ネットワーク・ゲートウェイ・デバイス４４０は、第１の有線ネットワークと関連付けることができ、ネットワーク・ゲートウェイ・デバイス４４０’は、第２の有線ネットワークと関連付けることができ、この第２の有線ネットワークの少なくとも一部は、第１の有線ネットワークと異なるものとすることができる。いくつかの実施形態では、ネットワーク・ゲートウェイ・デバイス４４０は、システム４００の無線リピータのセットおよび／または無線センサ（その全体は示されていない）の一部と通信することができ、ネットワーク・ゲートウェイ・デバイス４４０’は、システム４００の無線リピータのセットおよび／または無線センサの異なる部分と通信することができる。そのような実施形態では、無線リピータ４３０、４３０’のいずれかは、複数の無線リピータの一部、および／または、無線リピータのセットの異なる部分に含めることができる。
【００４０】
［１０６６］  いくつかの実施形態では、新しいネットワーク・ゲートウェイ・デバイス（図示せず）または第２のネットワーク・ゲートウェイ・デバイス（図示せず）を、無線センサシステム内に設置する必要がある場合がある。このことは、ネットワーク・ゲートウェイ・デバイス４４０、４４０’上でボタンをプレスすること、または、ネットワーク・ゲートウェイ・デバイス４４０、４４０’上のコンピュータインターフェース、およびグラフィカルユーザインターフェースを使用することによって開始される聴取モードを使用して実施することができる。例として、無線センサ４１０は、ミニＵＳＢケーブルを無線センサ４１０とネットワーク・ゲートウェイ・デバイス４４０、４４０’との間に接続することにより、ネットワーク・ゲートウェイ・デバイス４４０、４４０’に接続することができる。この時点では、ネットワーク・ゲートウェイ・デバイス４４０、４４０’は、無線センサ４１０にケーブルを介して、適切なチャンネルおよびネットワークＩＤを設定し、無線センサ４１０に特有の無線センサＩＤをアサインするように指示する。ネットワーク・ゲートウェイ・デバイス４４０、４４０’が動作を終了した場合、新たなネットワーク・ゲートウェイ・デバイス４４０、４４０’を、聴取モードをイネーブルして、所定の期間の間、ネットワークを聴取し、すべての無線センサ４１０のＩＤを記憶し、無線センサ４１０のデータを適切なメモリ位置にマッピングすることにより、配置することができる。
【００４１】
［１０６７］  図５は、一実施形態に係る無線センサシステム（「システム」）５００の概略図である。システム５００は、システム１００と類似とすることができ、かつ、システム１００と類似の構成要素を含むことができる。たとえば、システム５００は、無線センサ１１０に類似の無線センサ５１０を含み、また、その少なくとも一部を、電気エンクロージャ（図示せず）内に配置することができる。システム５００は、無線リピータ５３０、無線リピータ５３０’、およびネットワーク・ゲートウェイ・デバイス５４０を含んでいる。図５に示すように、無線センサ５１０は、Ｃ（ｔ）で示される、時間ｔにおけるデータパケットＣを送信することができる。無線リピータ５３０は、データパケットＣを無線センサ５１０から受信することができ、メモリ内のそのバッファとの比較により、データパケットＣが無線リピータ５３０によって送信されなかったことを判定することができる。無線リピータ５３０は、約２５ミリ秒から１００ミリ秒の間でランダムに遅延することができ、次いで、Ｃ（ｔ＋ｙ）で示される、時間（ｔ＋ｙ）におけるデータパケットＣのパケットをブロードキャストすることができる。いくつかの実施形態では、データパケットＣがブロードキャストされることから、無線センサ５１０は、データパケットＣを受信することができ、このデータパケットの受信は、伝送が首尾良く行われたことの認定とすることができる。この例では、無線リピータ５３０’は、データパケットＣを受信することができ、メモリ内のそのバッファとの比較により、パケットが無線リピータ５３０’によって送信されなかったことを判定することができる。無線リピータ５３０は、約２５ミリ秒から１００ミリ秒の間でランダムに遅延することができ、次いで、Ｃ（ｔ＋ｘ）で示される、時間（ｔ＋ｘ）におけるパケットをブロードキャストすることができる。パケットＣ（ｔ＋ｘ）は、無線リピータ５３０によって受信され得る。無線リピータ５３０は、データパケットＣ（ｔ＋ｘ）を、メモリ内のそのバッファと比較することができ、データパケットＣ（ｔ＋ｙ）が、すでに送信されたデータパケットＣ（ｔ＋ｘ）に等しいことを判定することができ、また、データパケットＣ（ｔ＋ｘ）を捨てる、および／または、別様に無視することができる。
【００４２】
［１０６８］  図６は、ケーブル６５０によって動作可能に結合された無線センサ６１０およびネットワーク・ゲートウェイ・デバイス６４０の概略図である。無線センサ６１０およびネットワーク・ゲートウェイ・デバイス６４０は、無線センサ１１０とネットワーク・ゲートウェイ・デバイス１４０とにそれぞれ類似するものとすることができる。図６は、たとえば最初のセットアッププロセスの間の、無線センサ６１０とネットワーク・ゲートウェイ・デバイス６４０との間の一時的な配線接続を示している。ネットワーク・ゲートウェイ・デバイス６４０は、ネットワークＩＤ、チャンネル、データ暗号化、セキュリティキー、および／または任意の他のセキュリティの特徴をアサインすることができる。
【００４３】
［１０６９］  図７は、無線センサ７１０、具体的にはロッカタイプのスイッチを示す図である。図８は、無線センサ８１０の正面図であり、図９は、無線センサ８１０、具体的には、トグル（たとえば、瞬間的な）タイプのスイッチの側面図である。無線センサ７１０、８１０は、上述の無線センサ１１０と類似とすることができ、かつ、無線センサ１１０と類似の構成要素を含むことができる。無線センサ７１０、８１０は、標準的な接続箱内に配置されるように構成することができる。いくつかのそのような実施形態では、無線センサ７１０、８１０は、ニュートラルワイヤを必要とすることなく、ロードライン、ホットライン、およびグラウンドに結合される、３つの端子、および／またはワイヤを含むことができる。そのような実施形態では、無線センサ７１０、８１０の動作のための電力は、少なくとも部分的に接続箱内に取り付けることができる、無線センサ７１０、８１０内に含まれるバッテリ（図示せず）によって得ることができる。いくつかの実施形態では、無線センサ７１０、８１０は、ロードラインからグラウンド接続に、わずかな量の電流を少しずつ流すことによってエネルギーを採取することができる。
【００４４】
［１０７０］  図１０から図１５は、本明細書に記載の実施形態に係る無線センサの概略図である。具体的には、図１０は、接続箱１０２０内に配置されたアンテナ１０６４を含む無線センサ１０１０を示している。図１１は、接続箱１１２０の外に配置されたアンテナ１１６４を含む無線センサ１１１０を示している。図１２は、第１の構成のエネルギーハーベスタ１２１２を含む無線センサ１２１０を示している。図１３は、第２の構成のエネルギーハーベスタ１３１２を含む無線センサ１３１０を示している。図１４は、第３の構成のエネルギーハーベスタ１４１２を含む無線センサ１４１０を示している。図１５は、接続箱１５２０に動作可能に結合された電力供給源１５１３を含む無線センサ１５１０を示している。例として、無線センサ、たとえば、無線センサ１０１０、１１１０、１２１０、１３１０、１４１０、１５１０は、ライトまたは差込口のスイッチを含むことができる。このライトまたは差込口のスイッチは、ライトまたは差込口を制御している電気スイッチが開いているか閉じているかを検知および／または制御するように構成されている。
【００４５】
［１０７１］  図１０を参照すると、無線センサ１０１０は、電気エンクロージャ１０２０内に少なくとも部分的に配置することができ、プロセッサモジュール１０１６、無線機１０６２、アンテナ１０６４、ボタン１０６６、電流トランス１０７２、スイッチ１０７４（例として、リレーまたはＴＲＩＡＣ）、ＤＣ／ＤＣ変換器１０７６、およびレギュレータ１０７８を含むことができる。無線センサ１０１０は、ライトスイッチとして動作することができる。たとえば、ボタン１０６６が押された場合、無線センサ１０１０に関連するライトは、負荷からＡＣ幹線１０２２、１０２４（好ましくは、１２０ＶＡＣから２７７ＶＡＣ、５０Ｈｚまたは６０Ｈｚ）に接続するか接続解除することにより、オンまたはオフにされる。無線センサ１０１０は、ボタン１０６６が押された際に、プロセッサ１０１６内に、無線センサ１０１０のスリープモードを解除することができる、インタラプトを生じさせるように構成することができる。プロセッサ１０１６は、無線センサ１０１０に結合された負荷（たとえば、ライト）に電力を供給するか、または電力を切るように、スイッチ１０７４の状態をトグルで切り換えることができる。プロセッサ１０１６は、たとえば、スイッチ１０７４の状態に基づき、無線機１０６２およびアンテナ１０６４を使用して、無線センサ１０１０の状態の変化を、たとえば建物のオートメーションシステム（ＢＡＳ）に、たとえば上述のような、無線センサシステムを介して、送信することができる。いくつかの実施形態では、プロセッサ１０１６は、スイッチの状態を記憶し、スリープに戻ることができる。そのような実施形態では、プロセッサ１０１６は、状態に関連するデータパケットを、所定のスケジュールおよび／または所定のインターバルで送信することができる。電流トランス１０７２は、負荷に提供された電流の量を測定することができ、電流がデータプロセッサ１０１６に提供された場合に、値を送信することができ、それにより、データプロセッサ１０１６は、データパケットを規定するとともに、たとえばＢＡＳに、無線センサシステムを介して送信することができる。いくつかの実施形態では、アンテナ１０６４は、電気エンクロージャ１０２０の少なくとも一部を、アンテナ１０６４の一部として使用することができる。そのような実施形態では、無線周波数（ＲＦ）電流は、電気エンクロージャ１０２０の外部の上を、無線（ＲＦ）データ信号の放射を補助して流れることができる。
【００４６】
［１０７２］  いくつかの実施形態では、ＢＡＳは、負荷のエネルギー消費を監視することができる。そのような実施形態では、多くの標準的な（たとえば、無線センサではない）スイッチ、差込口、およびセンサを有する建物は、ＢＡＳが、ユーザによる局所的な制御に加え、すべてのスイッチおよび差込口上の負荷を無線で制御することを可能にするように、本明細書に記載の無線センサを後付けすることができる。いくつかの実施形態では、ＢＡＳは、いつ部屋が占有される、および占有されないかのスケジュールを有し、その部屋内の無線センサをオンおよびオフにするために、そのデータを使用する場合がある。そのような実施形態では、ユーザは、占有されていないとラベルが付された部屋にいることができ、また、負荷をイネーブルするようにスイッチを手動で操作することができる。いくつかの実施形態では、無線センサは、１時間など、所定の、またはプログラム可能な時間だけ、オン状態を維持するためのタイマを含むことができる。そのような実施形態では、無線センサは、スケジュールに基づき、その部屋が依然として占有されていないとラベルが付されているかに関し、ＢＡＳからデータを聴取することができる。部屋が依然として占有されていないとラベルが付されている場合、ワイヤセンサは、負荷から電力を電子的に除去することができる。
【００４７】
［１０７３］  図１１を参照すると、無線センサ１１１０は、電気エンクロージャ１１２０内に少なくとも部分的に配置することができ、プロセッサモジュール１１１６、無線機１１６２、アンテナ１１６４、ボタン１１６６、電流トランス１１７２、スイッチ１１７４、ＤＣ／ＤＣ変換器１１７６、およびレギュレータ１１７８を含むことができる。電気エンクロージャ１１２０は、ＡＣ幹線１１２２、１１２４を含むことができる。無線センサ１１１０は、無線センサ１０１０と類似とすることができ、かつ、無線センサ１０１０と類似の構成要素を含むことができる。たとえば、無線センサは、プロセッサモジュール１０１６に類似のプロセッサモジュール１１１６を含むことができる。図１０に示す無線センサ１０１０とは異なり、無線センサ１１１０のアンテナ１１６４は、少なくとも部分的に電気エンクロージャ１１２０の外に配置することができる。
【００４８】
［１０７４］  図１２を参照すると、無線センサ１２１０は、電気エンクロージャ１２２０内に少なくとも部分的に配置することができ、エネルギーハーベスタ１２１２、プロセッサモジュール１２１６、無線機１２６２、アンテナ１２６４、ボタン（図１２には示されていない）、電流トランス１２７２、スイッチ１２７４、ＤＣ／ＤＣ変換器１２７６、およびレギュレータ１２７８を含むことができる。電気エンクロージャ１２２０は、ＡＣ幹線１２２２、１２２４を含むことができる。無線センサ１２１０は、無線センサ１０１０と類似とすることができ、また類似の構成要素を含むことができる。たとえば、無線センサ１２１０は、プロセッサモジュール１０１６に類似のプロセッサモジュール１２１６を含むことができる。図１０に示す無線センサ１０１０とは異なり、無線センサ１２１０は、上述のエネルギーハーベスタに類似とすることができるエネルギーハーベスタ１２１２を含んでいる。具体的には、エネルギーハーベスト１２１２が第１の構成である場合、たとえば、エネルギーハーベスタ１２１２は、無線センサ１２１０を流れる電流からエネルギーを採取することができる。エネルギーハーベスタ１２１２は、電流のわずかな部分を使用可能な電圧に変換することができる。電圧は、ＤＣに整流することができ、バッテリまたは、スーパーコンデンサなどの別の記憶デバイスを再充電するために使用することができる。図１２に示すように、エネルギーハーベスタ１２１２は、スイッチ１２７４が閉じられ、ライン１２２２を負荷１２２４に接続している場合にのみ、エネルギーを採取することができる。いくつかの実施形態では、エネルギーハーベスタ１２１２は、グラウンドワイヤ（図示せず）を通して、わずかな電流を少しずつ流すことができ、それにより、スイッチ１２７４によって負荷１２２４の接続が切られている場合に、無線センサ１２１０が、ライン１２２２からエネルギーを採取することを可能にすることができる。そのような実施形態では、少しずつ流す電流は、６ｍＡ未満、具体的には、３ｍＡ未満とすることができる。
【００４９】
［１０７５］  図１３を参照すると、無線センサ１３１０は、電気エンクロージャ１３２０内に少なくとも部分的に配置することができ、エネルギーハーベスタ１３１２、プロセッサモジュール１３１６、無線機１３６２、アンテナ１３６４、ボタン（図１３には示されていない）、電流トランス１３７２、スイッチ１３７４、ＤＣ／ＤＣ変換器１３７６、およびレギュレータ１３７８を含むことができる。電気エンクロージャ１３２０は、ＡＣ幹線１３２２、１３２４を含むことができる。無線センサ１３１０は、無線センサ１０１０と類似とすることができる、また類似の構成要素を含むことができる。たとえば、無線センサ１３１０は、プロセッサモジュール１０１６に類似のプロセッサモジュール１３１６を含むことができる。図１０に示す無線センサ１０１０とは異なり、無線センサ１３１０は、上述のエネルギーハーベスタに類似とすることができるエネルギーハーベスタ１３１２を含んでいる。具体的には、エネルギーハーベスタ１３１２が第２の構成である場合、たとえば、エネルギーハーベスタ１３１２は、ＡＣ回路から独立するものとすることができる。より具体的には、いくつかの実施形態では、エネルギーハーベスタ１３１２は、太陽電池とすることができる。そのような実施形態では、太陽電池は、面板を通して無線センサ１３１０の外に露出するように設計することができる。面板は、標準的な設計とすることができるか、またはカスタムであり、無線センサ１３１０に組み込まれている場合がある。
【００５０】
［１０７６］  図１４を参照すると、無線センサ１４１０は、電気エンクロージャ１４２０内に少なくとも部分的に配置することができ、エネルギーハーベスタ１４１２、プロセッサモジュール１４１６、無線機１４６２、アンテナ１４６４、ボタン（図１４には示されていない）、電流トランス１４７２、スイッチ１４７４、ＤＣ／ＤＣ変換器１４７６、およびレギュレータ１４７８を含むことができる。電気エンクロージャ１４２０は、ＡＣ幹線１４２２、１４２４を含むことができる。無線センサ１４１０は、無線センサ１０１０と類似とすることができ、また類似の構成要素を含むことができる。たとえば、無線センサは、プロセッサモジュール１０１６に類似のプロセッサモジュール１４１６を含むことができる。図１０に示す無線センサ１０１０とは異なり、無線センサ１４１０は、上述のエネルギーハーベスタに類似とすることができるエネルギーハーベスタ１４１２を含んでいる。具体的には、エネルギーハーベスタ１４１２が第３の構成である場合、たとえば、エネルギーハーベスタ１４１２は、バッテリとは独立して無線センサ１４１０に電力を提供するように設計することができる。そのような実施形態では、エネルギーハーベスタ１４１２およびバッテリは、ダイオードで論理和の処理がされる場合がある。いくつかの実施形態では、ハーベスティングのために使用されるエネルギー源が存在しない（すなわち、ライトが存在しない）場合、バッテリを、無線センサ１４１０に電力を供給するための一次エネルギー源とすることができる。そのような実施形態では、ハーベスティングに使用されるエネルギー源が増大するにつれて、たとえば、部屋内の環境光が増大するにつれて、エネルギーハーベスタ１４１２がバッテリを増大させることができる。そのような実施形態では、ハーベスティングのために使用されるエネルギー源が十分に高い値に達した場合、エネルギーハーベスタ１４１２は、無線センサ１４１０に電力を供給するための一次エネルギー源とすることができる。いくつかの実施形態では、すべてのエネルギーがエネルギーハーベスタ１４１２によって提供される場合があり、無線センサ１４１０に電力を供給するために、バッテリにエネルギーが供給されない場合がある。そのような実施形態では、エネルギーハーベスタ１４１２が十分なエネルギーを有している場合、エネルギーハーベスタ１４１２は、無線センサ１４１０に電力を供給し、バッテリのエネルギーを維持することができる。いくつかの実施形態では、エネルギーハーベスタ１４１２は、スーパーコンデンサまたは再充電可能なバッテリを充電することができる。
【００５１】
［１０７７］  図１５を参照すると、無線センサ１５１０は、電気エンクロージャ１５２０内に少なくとも部分的に配置することができ、電力供給源１５１３、プロセッサモジュール１５１６、無線機１５６２、アンテナ１５６４、ボタン（図１５には示されていない）、電流トランス１５７２、スイッチ１５７４、ＤＣ／ＤＣ変換器１５７６、およびレギュレータ１５７８を含むことができる。電気エンクロージャ１５２０は、ＡＣ幹線１５２２、１５２４、およびニュートラル１５２６を含むことができる。無線センサ１５１０は、無線センサ１０１０と類似とすることができ、また類似の構成要素を含むことができる。たとえば、無線センサは、プロセッサモジュール１０１６に類似のプロセッサモジュール１５１６を含むことができる。図１０に示す無線センサ１０１０とは異なり、無線センサ１５１０は、電力供給源１５１３を含んでいる。具体的には、電気エンクロージャ１５２０がニュートラルライン１０２６を含んでいることから、無線センサ１５１０は、たとえば、建物の電気から電力を受信することができる。電力供給源１５１３は、ＡＣ／ＤＣ変換器を含むことができる。
【００５２】
［１０７８］  本明細書に記載のように、図１０から図１５を参照すると、無線センサは、ロードワイヤ上の電気接続を、ＡＣ入力をラインワイヤからチョップするなどの任意の方法を介して、または、外部の調光デバイス（図示せず）に対する０Ｖから１０Ｖの信号により、調整するか弱める場合がある。
【００５３】
［１０７９］  図１６は、電気エンクロージャ１６２０内に配置された無線センサ１６１０の一部の図である。具体的には、無線センサ１６１０は、アンテナ１６６４、面板１６６８、ボタン１６６６、バッテリ区画ドア１６８２、およびバッテリ区画ドア固定デバイス１６８４を含んでいる。図１６に示すように、アンテナ１６６４は、面板１６６８内および／または面板１６６８に隣接して配置することができる。バッテリ区画ドア１６８２により、バッテリ（図示せず）を設置および／または置き換えるためにアクセスすることができる。バッテリ区画ドア固定デバイス１６８４は、バッテリ区画ドア１６８２を閉じた位置に固定し、また、たとえば、ネジまたはスナップ機構を含むことができる。いくつかの実施形態では、ボタン１６６６は、１つまたは複数の検知位置を使用して、静電タッチ技術を使用して実装される場合がある。いくつかの実施形態では、ボタン１６６６により、スイッチを制御し、ラインワイヤとロードワイヤとの間の電気接続を弱めもする能力が与えられる場合がある。
【００５４】
［１０８０］  本明細書に記載のように、図１から図１６を参照すると、無線センサは、少なくとも部分的に電気エンクロージャ、具体的には接続箱内に配置することができ、また、１つまたは複数のアンテナは、接続箱の内部、外部、部分的に内部に配置するか、または接続箱と一体にすることができる。いくつかの実施形態では、接続箱の特性により、アンテナの配置を判定することができる。いくつかの実施形態では、接続箱は、金属を含むことができるか、またはプラスチックを含むことができる。いくつかの実施形態では、接続箱および／または無線センサに関連付けられた面板は、プラスチックを含むことができ、接続箱内にアンテナを取り付けることを可能にする。また、ＲＦエネルギーは、接続箱が金属製である場合は、プラスチックの面板を通してボックスを出ることができる。代替的には、接続箱がプラスチック製である場合、ＲＦエネルギーは、面板と接続箱との両方を通って出ることができる。いくつかの実施形態では、アンテナは、金属の接続箱の影響を最小にすることにより、性能を最大にするように、接続箱を出ることができる。いくつかの実施形態では、アンテナは、接続箱にケーブルで繋がれる場合があるか、または接続箱の側部か頂部上に取り付けられたパネル、スタッド、または壁である場合がある。
【００５５】
［１０８１］  いくつかの実施形態では、アンテナは、接続箱、または、照明設備の金属を、グラウンド面として、または、アンテナの放射構造の一部として使用する場合がある。いくつかの実施形態では、アンテナは、金属接続箱および金属面板を使用すること、ならびに、面板内のスロットを使用することによって形成することもできる。例として、接続箱は、金属とすることができる。接続箱の金属は、標準的なアンテナが適切に作用することを防止する場合がある。この理由は、接続箱が放射をシールドし、かつ／または、アンテナの性能を低下させ得るためである。金属カバーを、適切な寸法のスロットを有する接続箱上に配置することにより、接続箱からの放射を可能にすることができる。好ましくは、スロットは、接続箱の長辺に沿って通っており、また、接続箱のスロットまたはアース接地には物理的に接続していない伝送ラインから供給される。好ましくは、限定ではないが、ＦＲ４などの誘電体が、ＡＣラインの周波数において、または、ＤＣ電圧から、電気的に絶縁するために、スロットアンテナと伝送ラインとの間に存在する。絶縁により、ＵＬの要請に従うように、絶縁されていない電力供給源を使用することが可能になる。
【００５６】
［１０８２］  いくつかの実施形態では、アンテナは、接続箱、または、照明設備の金属を、無線機のＲＦ接地の、接続箱のアース接地への物理的接続を伴わずに、アンテナのための接地面として使用する場合がある。接地間の絶縁は、誘電体を使用して実施される。ＲＦ信号により、誘電体を通してＲＦ接地とアース接地との間に形成された静電容量を使用した、仮想接地接続が確立される。いくつかのケースでは、無線機を含むプリント回路基板（ＰＣＢ）は、完全に接続箱の内側にあるか、またはＰＣＢを外界から効率的にシールドする安定器カバーの下にある場合がある。ワイヤアンテナは、アンテナが金属の平面に対してほぼ垂直であるように、金属内の小さい穴を通して外に出すことができる。仮想接地は、ＰＣＢ接地平面から、接続箱の金属、または、照明設備の金属に確立して、接続箱、または、照明設備の金属内にＲＦ電流を励起し、ワイヤと、接続箱の接地されていない（絶縁された）金属または照明設備の金属とを、無線機によって見られるように共振させることができる。使用される誘電体は、好ましくは、（使用される場合は）両面テープなどの接着剤と組み合わせられたエンクロージャのＡＢＳプラスチックである。
【００５７】
［１０８３］  いくつかの実施形態では、アンテナは、接続箱の金属を、アンテナの一部として使用して、性能を向上させることができる。そのような実施形態では、アンテナは、プラスチックの接続箱カバーを使用することができる。そのような実施形態では、アンテナ構造には、金属平面、垂直な金属ウイング、およびポイント供給面が含まれる。ポイント供給面は、ＦＲ４などの誘電体上に構築され得、この面をカバーすることができる上層をも有することができ、また、第２の誘電体、たとえばプラスチックで形成することができる。そのような実施形態では、アンテナは、パッチアンテナ、逆Ｆアンテナ、およびダイポールアンテナの間のハイブリッドである。さらに、金属面には、複数ギャングまたはプラスチックの接続箱における共振を確実にするように、垂直なウイングが含まれている。そのような実施形態では、接続箱は、ダイポールアンテナの一方の半体として作用し、一方、ポイント供給面は、他方の半体として作用する。ポイント供給面の下の金属平面は、ＲＦ波に関連する電流を、接続箱の外側で流れさせて、ダイポールタイプのアンテナを形成することができる（ポイント供給面は、ダイポールの正極側とすることができ、接続箱の金属および垂直なウイングに合わせられた金属平面は、ダイポールの負極側とすることができる）。別の例では、接続箱は、プラスチックの接続箱であり、垂直なウイングにより、ＲＦ波に関連する電流を、金属接続箱のケースのように、後方に流れさせる。これにより、アンテナの共振を維持することができる（−７ｄＢ未満の反射減衰量）。別の言い方をすると、アンテナの共振周波数は、アンテナのインピーダンスが、発生源または負荷のインピーダンスに関する共役複素数である場合に、生じる。一例では、アンテナは、接続された無線トランシーバの５０のインピーダンスにマッチするように、５０オームに設計することができる。そのような例では、反射減衰量は、アンテナが５０オーム（または、５０オームではないシステムに関する他のインピーダンス）にどれだけ近いかの尺度とすることができる。この例では、−１０ｄＢ未満の反射減衰量を、良好なマッチすることができる。たとえば、アンテナが、その周波数、または、その周波数のレンジにわたって共振している。さらに、垂直なウイングにより、複数ギャングの金属の接続箱内に取り付けられている場合、アンテナを共振状態のままとすることができる。いくつかの実施形態では、金属平面および金属の垂直なウイングは、折り曲げられた金属の単一のピースから形成することができる。垂直なウイングは、たとえば、接続箱の壁から少なくとも１ｍｍ離間させることができる。いくつかの実施形態では、アンテナは、無線センサ内のボタンの一部として使用することができる。いくつかの実施形態では、ポイント供給ポイントは、アンテナの一部として、および、静電タッチボタンとして使用して、アンテナの機械的モーションを除去することができる。
【００５８】
［１０８４］  図１７から図２２は、関連する接続箱を伴って、および伴わずに、無線センサのアンテナを示す様々な図である。具体的には、図１７は、一実施形態に係る無線センサのアンテナの前方斜視図であり、図１８は、図１７に示すアンテナの後方斜視図であり、図１９は、図１７に示すアンテナの第２の後方斜視図であり、図２０は、一実施形態に係る、接続箱内に少なくとも部分的に配置された、図１７に示すアンテナの前方斜視図であり、図２１は、一実施形態に係る、接続箱内に少なくとも部分的に配置された、図１７に示すアンテナの後方斜視図であり、図２２は、一実施形態に係る、接続箱内に少なくとも部分的に配置された、図１７に示すアンテナの第２の後方斜視図である。図１７から図２２に示すように、アンテナ１７６４は、金属平面１７９４、垂直なウイング１７９２、およびポイント供給面１７９６を含んでいる。やはり図２０から図２２に示すように、アンテナ１７６４は、接続箱１７２０内に少なくとも部分的に配置することができる。
【００５９】
［１０８５］  照明制御システムは、建物内の空間（たとえば、開いている、および／または閉じられた部屋、エリアなど）内の照明システムの制御、構成、および分析のためにＢＡＳの一部として使用することができる。いくつかの実施形態では、照明制御システムは、人間が照明制御システムと相互作用することに基づき、人間が空間を物理的に占有している場合に使用することができる。いくつかの実施形態では、照明制御システムは、その空間内で、モーションが検出されたか、または検出されないかに基づき、人間が空間を物理的に占有していない場合に使用することができる。いくつかの実施形態では、照明制御システムは、スケジュール、および／または、空間の環境の特性に基づいて使用することができる。照明制御システムは、無線コントローラ、ライト、モーションおよび他のセンサ、無線スイッチ、ならびに、ゲートウェイおよび他のネットワークシステムを含むことができる。照明制御システムは、ローカル・エリア・ネットワークおよび／もしくはワイド・エリア・ネットワーク、ならびに／または、クラウドベースのネットワークを介して、ＢＡＳに組み込むことができる。
【００６０】
［１０８６］  図２３は、照明制御システム（「システム」）２３００の概略図である。システム２３００は、照明設備２３２０内に取り付けられるか、または照明設備２３２０に対して取り付けられた無線コントローラ２３１０、無線スイッチ２３３０、モーションセンサ２３４０、光センサ２３５０、ゲートウェイ２３６０、プロキシサーバ（図示せず）、およびクラウドサーバ（図示せず）を含んでいる。
【００６１】
［１０８７］  無線スイッチ２３３０は、たとえば、照明設備２３２０の一方または両方などの照明設備の状態を制御するように構成することができる。いくつかの例では、無線スイッチ２３３０は、バッテリで動作するデバイスとすることができる。そのような例では、無線スイッチ２３３０のバッテリ（図示せず）は、本明細書に記載のエネルギーハーベスタに結合することができる。いくつかの例では、無線スイッチ２３３０は、送信専用デバイスとすることができる。他の例では、無線スイッチ２３３０は、システム２３００の他のデバイスから情報を受信するように構成することができる。無線スイッチ２３３０が送信専用スイッチとして構成されている例では、無線スイッチ２３３０は、単一のプリインストールされた（たとえば、はんだ付けされた）バッテリで２５年以上持続することができる。いくつかの例では、無線スイッチ２３３０は、可動部分を有していないようにすることができる。そのような、可動部分の欠如により、耐用年数を増大させることができる。
【００６２】
［１０８８］  いくつかの例では、無線スイッチ２３３０は、ユーザからの相互作用を示すために、静電検知を使用することができる。そのような例では、ユーザは、無線スイッチ２３３０上のあるゾーンにタッチすることができ、静電容量の変化が、無線スイッチ２３３０によって検知され得、押されたゾーンに基づくコマンドを送信することができる。例として、図２６を参照すると、無線スイッチ２６３０ａは、４つのゾーンを有する場合がある。無線スイッチ２６３０ａの頂部に示される第１のゾーン（たとえば、図２６Ａの「ゾーン１」）は、ユーザが部屋内のライトをオンにしたがっていることを示すために使用することができる。ゾーン１の下のゾーン（たとえば、図２６Ａの「ゾーン２」）は、ユーザが部屋内の光レベルを上げたがっていることを示すために使用することができる。ゾーン２の下のゾーン（たとえば、図２６Ａの「ゾーン３」）は、ユーザが部屋内の光レベルを下げたがっていることを示すために使用することができる。底部のゾーン（たとえば、図２６Ａの「ゾーン４」）は、ユーザが部屋内のライトをオフにしたがっていることを示すために使用することができる。別の例では、ゾーン１からゾーン４は、部屋またはエリアを、ユーザが限定可能なシーンに設定するために使用することができる。好ましくは、無線スイッチ２３３０は、シーンの設定に関するデータを記憶しない。好ましくは、シーンのデータは、無線スイッチ２３３０に関連付けられた部屋内の１つまたは複数の無線コントローラ２３１０内に記憶されている。無線スイッチは、好ましくは、押された静電ボタンに基づき、無線コントローラ２３１０のメモリ内に保存された値に設定を変更するように、無線コントローラ２３１０に関するコマンドを送信する。例として、ボタン１は、ライト、または他の接続されたデバイス（複数の場合もある）に、シーン１に関し、無線コントローラ２３１０のメモリ内に記憶されたシーンの値に移行するように通知するコマンド１を送信する場合がある。好ましくは、無線コントローラ２３１０は、かなりの長さのバッテリの寿命を維持するために、送信専用のデバイスである。いくつかの例では、静電検知は、デューティサイクルである。そのようなデューティサイクルは、電力を節約することができ、２５年以上のバッテリの耐用年数を可能にすることに寄与することができる。例として、４分の１秒毎に１回、または８分の１秒毎に１回、ゾーンを検知することができる。ユーザが検出された場合、無線スイッチ２３３０は、ユーザを検出する第１のモード（ユーザ検出モード）から、ゾーンのより迅速なサンプリングの第２のモードに移行して、ユーザのコマンドに対する迅速な応答を確実にする（実行モード）か、または検出を分析するために、デジタルフィルタまたはデジタル計算（信号処理）を実装することができる。マイクロコントローラは、好ましくは、密に隣接したＡＣ配線などのノイズ源によって生じる偽のトリガを避けるために、検出のいくつかのサンプルを取得する。偽の検出は、無視される場合があり、無線スイッチ２３３０は、偽の検出に起因するパケットを送信しない場合がある。ゾーン１からゾーン４は、各々が、部屋内の異なるシーンを設定する���うに構成することができる。例として、ゾーン１は、無線コントローラ２３１０を４０％の暗さレベルに設定するように構成することができる。そのような例では、ゾーン１のコマンドは、無線スイッチ２３３０から無線コントローラ２３１０に直接、またはリピータ（図示せず）を通して送信することができる。そのような例では、ゲートウェイ２３６０は、各ゾーンのコマンドに関し、所望の状態で無線コントローラ２３１０をプログラムすることができる。
【００６３】
［１０８９］  無線スイッチ２３３０は、ライトをオンまたはオフにするように、かつ、やはりライトを暗くするように、構成することができる。いくつかの実施形態では、無線スイッチ２３３０は、スライダを含むことができる。例として、図２６Ｂを参照すると、無線スイッチ２６３０は、２つの要素の静電タッチ（検知）スライダ２６３２を含むことができる（図２６Ｂ参照）。スライダ２６３２は、ユーザが、スイッチの頂部にタッチして、ライトをオンにすることを可能にすることができる。スライダ２６３２は、ユーザが、スイッチの底部にタッチして、ライトをオフにすることを可能にすることができる。オンのゾーンとオフのゾーンとの間では、ユーザは、自身の指をスライドさせて、ライトの暗さレベルを調整することができる。いくつかの例では、ユーザは、無線スイッチ２６３０に物理的にタッチする必要はない。そのような例では、静電検知は、無線スイッチ２６３２の検知表面の数ミリメートル内でユーザの指を検知できるように、高感度にすることができる。
【００６４】
［１０９０］  上述のように、無線スイッチ２３３０は、２つ以上の連続したチャンネルで、単一の無線機を使用してコマンドを送信するように構成された、送信専用デバイスとすることができる。例として、無線スイッチ２３３０は、第１のチャンネル（たとえば、「チャンネルＡ」）上で、次いで第２のチャンネル（たとえば、「チャンネルＢ」）上で、送信することができる。無線スイッチ２３３０は、壁に取り付けることができるか、移動デバイス（部屋の周りで移動可能）とすることができるか、ネジなどの締結具で壁に固定されたクレードルに取り付け、それにより、無線スイッチ２３３０をクレードルから取り外せるようにすることができる。無線スイッチ２３３０は、製造の時点でアサインされ、送信されるパケット毎にデータとして含まれる、固有のシリアル番号に関連付けることができる。
【００６５】
［１０９１］  無線スイッチ２３３０は、好ましくは、スタックされた構成の、２つ以上のプリント回路基板（ＰＣＢ）を使用して構築することができる。ＰＣＢは、好ましくは、平行な平面であり、好ましくは、１つまたは複数のＰＣＢを使用してＰＣＢボードレベルのコネクタに接続されている。好ましくは、ＰＣＢは、人間の指の存在によって生じる静電容量の変化を検知するための静電タッチパッドを含んでいる。マイクロコントローラに組み込まれている場合がある、静電パッドに関する静電タッチモジュールへのトレースは、頂部のＰＣＢから底部のＰＣＢに、１つまたは複数のボードレベルのコネクタを通して通じている場合がある。キャップタッチボタンを含む頂部のＰＣＢは、好ましくは、ハウジングの外側プラスチック壁との接触を提供する方式で取り付けられている。好ましくは、しっかりと取り付けることにより、ＰＣＢを外側プラスチック壁に対し、顕著な空隙を伴わずに押しつける。好ましくは、２つ以上のＰＣＢの各々が、２つ以上の層となっている。
【００６６】
［１０９２］  無線スイッチ２３３０は、通信のためのアンテナを含んでいる。アンテナは、好ましくは、ハウジングの外側プラスチック壁に接触して取り付けられた静電タッチＰＣＢ上に構築されている。アンテナは、好ましくは、静電タッチボタンに隣接して、または静電タッチボタン内でルートが設定されている。いくつかの実施形態では、アンテナは、静電タッチボタンを静電的に励起するように設計されており、それにより、静電タッチボタンをアンテナの一部とする。ボタンをアンテナの一部として使用することにより、ボタンとアンテナとが、ＰＣＢ上の同じ空間を共有することが可能になる。アンテナの周波数は、静電タッチの動作を妨げないように、十分に高く設定される。さらに、アンテナに関する供給ポイントは、ボードレベルのコネクタ上の１つまたは複数の接続を使用する場合がある。好ましくは、アンテナは、静電タッチボタンの性能を向上させるために、ＤＣ短絡である。例として、アンテナは、平らな逆Ｆアンテナ（ＰＩＦＡ）タイプのアンテナである場合がある。第１のＰＣＢ上のＰＩＦＡに対する１つまたは複数の接続は、ボードレベルのコネクタを通して、第２のＰＣＢの接地に接続される場合がある。ＰＩＦＡに対する１つまたは複数の接続は、ボードレベルの接続を通して、無線機の出力信号に接続される場合がある。好ましくは、ボードレベルのコネクタの接続空間は、アンテナのマッチングの助けになるように、特定の特性インピーダンスを有するように設計されている。アンテナは、アンテナのバンド幅を増大させるために、受動共振要素を、第２のＰＣＢ上のアンテナの一部として含む場合がある。受動共振要素は、好ましくは、無線信号に対する物理的な接続を有しておらず、また、第２のＰＣＢの接地にのみ接続されている。
【００６７】
［１０９３］  無線スイッチ２３３０は、モータおよび他のデバイスなどの、ライト以外の他のデバイスの動作を制御するために使用される場合がある。オンとオフとの間のレベルは、速度、ボリューム、流れ、または他の測定可能な量など、デバイスのパラメータを変化させるために使用され得る。
【００６８】
［１０９４］  無線コントローラ２３１０は、１つまたは複数の照明設備２３２０を制御し、ＢＡＳと通信するように構成することができる。いくつかの例では、無線コントローラ２３１０は、ＡＣまたはＤＣラインで電力供給されるデバイスとすることができる。無線コントローラ２３１０は、正常な動作の間、無線スイッチ２３３０、ゲートウェイ２３６０、モーションセンサ２３４０、および／または光センサ２３５０からデータを受信し、また、照明設備２３２０の状態を制御するように構成することができる。無線コントローラ２３１０は、照明設備２３２０内のライトをオンまたはオフにするか、または光レベルを暗くすることができる。例として、図２４を参照すると、照明設備２３２０は、安定器２３２２によって制御される複数のバルブ２３２４を含むことができ、無線コントローラ２３１０は、安定器２３２２とインターフェースすることができる。そのような例では、無線コントローラ２３１０は、安定器２３２２に対するＡＣまたはＤＣラインの電力を形成するか中断するためのメカニズムを含むことができる。そのような例では、メカニズムは、無線コントローラ２３１０によって使用される電力量を制限するためのラッチングリレーとすることができる。代替的には、メカニズムは、非ラッチングリレーか、または他のソリッドステートのリレーまたはスイッチとすることができる。
【００６９】
［１０９５］  いくつかの例では、無線コントローラ２３１０に、ゲートウェイ２３６０から、ＢＡＳネットワークに加わるように問合せをすることができる。ユーザが無線コントローラ２３１０のバーコードを、ゲートウェイ２３６０またはクラウドサーバ（複数の場合もある）に関連付けられたウェブページに、スキャンするか手動で入力した際には、無線コントローラ２３１０をＢＡＳネットワークに登録することができる。無線コントローラ２３１０は、次いで、ゲートウェイ２３６０の固有の識別番号をゲートウェイ２３６０に送信することができる。この識別番号は、無線コントローラ２３１０から送信されるパケットに含まれている場合がある。さらに、無線コントローラ２３１０は、関連するデータをゲートウェイ２３６０から受信することができる。そのような例では、関連するデータは、無線コントローラ２３１０に、どのシステムデバイス（たとえば、スイッチ、センサなど）が無線コントローラ２３１０にデータを提供することになるかを通知することができる。例として、ゲートウェイ２３６０は、無線コントローラ２３１０に、１つまたは複数の無線スイッチ２３３０から信号を受信するように通知することができる。この相関が無線コントローラ２３１０の不揮発性メモリに記憶されると、無線コントローラ２３１０は、データまたはコマンドを、１つまたは複数の無線スイッチ２３３０から直接受信し、データまたはコマンドが受信されると、動作することができる。いくつかの例では、無線コントローラ２３１０は、コマンドをゲートウェイ２３６０から受信することができる。ゲートウェイ２３６０は、無線コントローラ２３１０の周波数チャンネルを設定することができる。例として、無線コントローラ２３１０は、チャンネルＡに設定して、チャンネルＡ上でセンサ２３４０またはスイッチ２３３０からデータを受信することができる（センサ２３４０またはスイッチ２３３０からの第１の連続した送信）。あるいは、無線コントローラ２３１０は、チャンネルＢに設定して、チャンネルＢ上でセンサ２３４０またはスイッチ２３３０からデータを受信することができる（センサ２３４０またはスイッチ２３３０からの第２の連続した送信）。
【００７０】
［１０９６］  いくつかの例では、無線コントローラ２３１０は、他のデバイス（たとえば、無線スイッチ、センサ、他の無線コントローラなど）からのパケットをリピートするためのリピータとしてイネーブルすることができる。そのような例では、無線コントローラ２３１０は、受信したパケットを追跡して、同じパケットが２回以上送信されていないことを確実にすることができる。そのような例では、無線コントローラ２３１０は、やはり、ゲートウェイ特有の識別番号をパケットに付加して、他のリピートする無線コントローラ（図示せず）に、パケットがすでにリピートされていること、および、やはり、固有の識別番号がパケットに含まれているゲートウェイに関連付けられた無線コントローラによってのみ、パケットがリピートされていることを通知することができる。いくつかの例では、診断データをパケットに付加して、ホップカウント、受信した信号強度、パケットカウンタなどを含む、ネットワークの調子を監視することができる。特定の例では、無線コントローラ２３１０は、メモリに記憶され、無線コントローラ２３１０に関連付けられたたデバイスのパケットをリピートするのみである。いくつかの例では、たとえば、無線コントローラ２３１０が、動作のリピータではないモードであるように構成されている場合、無線コントローラ２３１０は、メモリに記憶された関連するデバイス（たとえば、無線スイッチ、センサなど）、およびゲートウェイ２３６０からのパケットを除く、あらゆるパケットを無視することができる。リピータモードに関するチャンネルは、ゲートウェイによって設定することができる（チャンネルＡまたはチャンネルＢ）。これにより、ネットワークが、２つの冗長なオーバーラップしたネットワークを有することを可能にすることができる。例として、ユーザは、部屋内の１つの無線コントローラ２３１０をリピータチャンネルＡにあるようにイネーブルし、部屋内の別の無線コントローラ２３１０を、リピータチャンネルＢにあるようにイネーブルするように、ゲートウェイ２３６０に指示することができる。いくつかの例では、リピータは、すべてのチャンネル上で連続して送信することができる。
【００７１】
［１０９７］  いくつかの例では、無線コントローラ２３１０は、ユーザが無線スイッチ２３３０またはゲートウェイ２３６０を介して無線コントローラ２３１０の状態（たとえば、オン、オフ、または暗くする）を変更するまで、ライトが戻った状態にあることを確実にするように、停電の後にデフォルトでオンにすることができる。無線コントローラ２３１０は、照明設備２３２０または照明設備アセンブリの中または上に取り付けられている場合がある。多くの例では、照明設備２３２０は、金属で構築することができ、このことは、ＲＦ通信に関する課題を有している。そのような例では、図１７から図２２で上述したアンテナを、これら課題を克服するために使用することができる。例として、照明設備２３２０は、２フィート対２フィートの吊天井の照明設備とすることができ、無線コントローラ２３１０は、有線アンテナ（図示せず）を使用することができる。プリント回路基板（ＰＣＢ）（図示せず）は、アンテナのための接地平面を含むことができる。無線コントローラ２３１０は、接着剤テープ（図示せず）を使用して取り付けることができる。アンテナは、照明設備２３２０の頂部の穴を通して、吊天井の上の空間内に突出するように設計されている。アンテナは、照明設備の頂部に対して垂直にすることができる。照明設備の頂部は、アンテナのための接地平面として作用することができる。ＰＣＢ接地平面と照明設備の金属とは、静電的に結合して、アンテナのための仮想接地を形成することができる。
【００７２】
［１０９８］  いくつかの例では、無線コントローラ２３１０は、ブレーカパネルにおける照明器具の接続のスイッチをオフにする必要なく、幹線（ＡＣまたはＤＣ）（たとえば、図１０から図１５を参照して上述した幹線）に迅速に接続および接続解除するためのコネクタを含むことができる。さらに、コネクタは、ＡＣもしくはＤＣの幹線、または、調光信号などの制御信号の、次の無線コントローラに対するデイジーチェーンの形成を可能にする追加のワイヤを許容することができる。無線コントローラ２３１０の各々は、製造の時点でアサインすることができ、送信されるパケット毎にデータとして含まれる、固有のシリアル番号に関連付けることができる。
【００７３】
［１０９９］  無線コントローラ２３１０は、０Ｖから１０Ｖの信号を使用して、調光を実施することができる。無線コントローラ２３１０は、たとえば、０Ｖから１０Ｖの信号の起点となる（出力）ことができるか、または同じ回路を使用して、０Ｖから１０Ｖの信号を受信する（入力）ことができる。このことは、起点となるか、または電流を下げて、出力を適切な電圧レベルに保持することができるドライバ出力を使用することによって達成することができる。
【００７４】
［１１００］  モーションセンサ２３４０は、空間を占有する者のモーションを検知するように構成することができる。いくつかの例では、モーションセンサ２３４０は、バッテリで動作するデバイスとすることができる。そのような例では、モーションセンサ２３５０のバッテリ（図示せず）は、本明細書に記載のように、エネルギーハーベスタに結合することができる。いくつかの例では、モーションセンサ２３４０は、送信専用デバイスとすることができる。他の例では、モーションセンサ２３４０は、システム２３００の他のデバイスから情報を受信するように構成することができる。モーションセンサ２３４０が送信専用デバイスとして構成されている例では、モーションセンサ２３４０のバッテリ（図示せず）は、２５年以上継続することができる。いくつかの例では、モーションセンサ２３４０は、可動部分を有していないようにすることができる。そのような例では、可動部分の欠如により、モーションセンサ２３４０の耐用年数を増大させることができる。いくつかの例では、モーションセンサ２３４０は、受動型赤外線を使用して、検知エリアにおける個人の存在を示すことができる。いくつかの例では、モーションセンサ２３４０は、ほぼ連続した割合でモーションをサンプリングすることができる。そのような例では、モーションセンサ２３４０は、検知時間とエネルギー消費（バッテリの寿命）とのバランスを取ることができる。モーションセンサ２３４０は、連続して検知するように構成することができ、単一のプリインストールされた（たとえば、はんだ付けされた）バッテリからの２５年以上の動作期間を依然として達成する。いくつかの例では、２５年のバッテリの寿命は、エネルギーハーベスティングを伴わずに達成される。モーションが検出される場合、モーションセンサ２３４０は、出力信号を発生させ、再度の検知を可能にするようにリセットする。リセットプロセスの間、モーションセンサ２３４０は、モーションを検知することが不可能である場合がある。しかし、リセットプロセスは、約１秒かかるのみとすることができ、モーションがすぐに検知されることから、１秒の検知しない時間は問題ないものとすることができる。
【００７５】
［１１０１］  いくつかの例では、モーションセンサ２３４０は、モーションが検出された場合にパケットを送信するように構成することができる。そのような例では、モーションセンサ２３４０は、モーションの検知を継続することができるが、いくつかの例では、５分など、所定の、またはプログラム可能な期間の間、別のパケットを送信しない。そのような例では、モーションセンサ２３４０は、５分の窓の間（または、任意の他の適切な時間の窓）、効率的に連続してモーションを監視し、この５分の期間の間にモーションが生じたかを示すパケットを送信することができる。いくつかの例では、モーションセンサ２３４０は、ゲートウェイおよび／または無線コントローラ２３１０にデータを送信することができる。パケットに基づくか、またはパケットに応じた制御は、ゲートウェイ２３６０および／または無線コントローラ２３１０によって実施することができる。いくつかの例では、モーションセンサ２３４０は、部屋またはエリアが占有されているか空であるかを検知するために使用することができる。モーションセンサ２３４０は、天井、壁、または通路に取り付けられる場合がある。
【００７６】
［１１０２］  いくつかの例では、モーションセンサ２３４０は、単一の無線機を使用して、２つの連続したチャンネルでデータを送信することができる、送信専用デバイスとすることができる。例として、モーションセンサ２３４０は、チャンネルＡ上で、次いでチャンネルＢ上で送信することができる。モーションセンサ２３４０の各々は、製造の時点でアサインされた、送信されるパケット毎にデータとして含まれる、固有のシリアル番号を有することができる。
【００７７】
［１１０３］  光センサ２３５０は、空間内の環境光のレベルを検知するように構成することができ、また、そのような情報を、照明設備２３２０の制御および／または構成のために送信するように構成することができる。いくつかの例では、光センサ２３５０は、バッテリで動作するデバイスとすることができる。いくつかの例では、光センサ２３５０は、正常な動作の間、送信専用デバイスであるように構成することができる。他の例では、光センサ２３５０は、システム２３００から情報を受信するように構成することができる。光センサ２３５０が送信専用デバイスとして構成されている例では、光センサ２３５０のバッテリ（図示せず）は、２５年以上継続することができる。いくつかの例では、光センサ２３５０は、可動部分を有していないようにすることができる。そのような例では、可動部分の欠如により、光センサ２３５０の耐用年数を増大させることができる。いくつかの例では、光センサ２３５０は、光センサ２３５０が取り付けられた表面に当たるルクスレベルを測定するように構成されたレンズ、ＩＲおよびＵＶフィルタ、ならびに、フォトダイオードを含むことができる。光センサ２３５０内の光検知要素（図示せず）は、人間の目の、光の周波数（スペクトル）応答に密にマッチするように設計することができる。光センサは、やはり、フォトダイオード、フィルタ、およびレンズの１つまたは複数を保持するための取付けデバイスを含む場合がある。取付けデバイスは、やはり、レンズを通して入る光以外の光を実質的にすべてブロックするように設計されている場合がある。これにより、レンズを通る光以外の、光センサエンクロージャに入る場合がある光によって生じる誤差を除去する。好ましくは、レンズ、フィルタ、およびフォトダイオードは、人間の目を模倣するように、コサイン二乗の光電変換応答を有する。
【００７８】
［１１０４］  いくつかの例では、光センサ２３５０は、光レベル（たとえば、ルクスレベル）をサンプリングし、ＲＦパケットを、所定の、またはプログラム可能な時間、たとえば、毎分１回、または、以前の読取り値のパーセンテージの、光レベルの変化の状況に応じるなどして、送信するように構成することができる。いくつかの例では、光センサ２３５０は、ゲートウェイ２３６０または無線コントローラ２３１０にデータを送信することができる。そのような例では、このデータは、部屋内の光レベルを調整して、光レベルを所望のレベルへ動かすように使用することができる。いくつかの例では、光レベルのレンジは、たとえば、ユーザに規定され、最大の許容可能な光レベル（最大の設定ポイント／ルクスレベル）および最小の許容可能な光レベル（最小の設定ポイント／ルクスレベル）を含んで提供することができる。システムは、光センサ２３５０に関連する無線コントローラ２３１０の暗さレベルを調整して、光レベルを、最小の設定ポイントと最大の設定ポイントとの間に動かすことができる。例として、部屋に関する最小のルクスレベルは、３００ルクスに設定することができ、最大のルクスレベルは４００ルクスに設定することができる。光センサ２３５０が、ゲートウェイ２３６０に、部屋の中の現在のルクスレベルが３５０ルクスであると報告した場合、ゲートウェイ２３６０は、部屋内の無線コントローラの暗さレベルを変更しない場合がある。しかし、光センサ２３５０が、ルクスレベルが２５０ルクスであると報告した場合、ゲートウェイ２３６０は、部屋内の１つもしくは複数、またはすべての無線コントローラ２３１０に、暗さレベルを一定のパーセンテージ（たとえば、１０％）だけ上げるように指示する場合がある。いくつかの例では、光センサ２３５０からの、次の読取り値が受信された場合、ゲートウェイ２３６０は、光センサ２３５０が、３００ルクスから４００ルクスの間の読取り値を送信するまで、暗さの設定を上げ続ける場合がある。ルクスレベルが４００ルクスを超えている場合、ゲートウェイ２３６０が、無線コントローラ２３１０の１つもしくは複数、またはすべてに、ルクスレベルが、３００ルクスから４００ルクスの、ユーザが規定した設定ポイントの間になるまで、一定のパーセンテージ（たとえば、１０％）だけ暗さレベルを低下させるように指示することができることを除き、同じプロセスが行われる場合がある。
【００７９】
［１１０５］  いくつかの例では、光センサ２３５０は、単一の無線機を使用して、２つの連続したチャンネルでデータを送信することができる、送信専用デバイスとすることができる。例として、光センサ２３５０は、チャンネルＡ上で、次いでチャンネルＢ上で送信することができる。光センサ２３５０の各々は、製造の時点でアサインされた、送信されるパケット毎にデータとして含まれる、固有のシリアル番号を有することができる。
【００８０】
［１１０６］  ゲートウェイ２３６０は、無線スイッチ２３３０、光センサ２３５０、モーションセンサ２３４０、無線コントローラ２３１０、および関連する照明設備２３２０を、ＢＡＳネットワークと接続するように構成することができる。ゲートウェイ２３６０は、本明細書に記載のネットワーク・ゲートウェイ・デバイス、たとえば、ネットワーク・ゲートウェイ・デバイス１４０と類似とすることができる。いくつかの例では、ゲートウェイ２３６０は、ゲートウェイ２３６０のネットワーク上のすべてのデバイスからデータを収集することができる。ユーザは、デバイスを、ゲートウェイ２３６０に関連するネットワークに、ゲートウェイ２３６０からユーザのコンピュータに、ＬＡＮ（図示せず）にわたって供給されるウェブページを使用して登録することができる。この方式で、ウェブページにより、ユーザが、バーコードスキャナ（図示せず）を使用して、デバイスの固有の識別番号のバーコードをスキャンすることによってデバイスを登録することを可能にすることができる。ユーザは、ウェブページを使用して、デバイス（たとえば、無線スイッチ、無線センサ、無線コントローラなど）の特性を設定することもできる。ユーザは、ウェブページを使用して、１つのデバイスを別のデバイスに関連付けることもできる。このデータすべては、ゲートウェイ２３６０内の不揮発性メモリに記憶して、停電の間の保持を確実にし、また、クラウドサーバへ、およびクラウドサーバからのシステムの待ち時間を低減することができる。いくつかの例では、関連性により、デバイスに、どのように互いに相互作用するかを示すことができる。例として、無線コントローラ２３１０は、無線スイッチ２３３０と関連付けられている。そのような例では、無線コントローラ２３１０は、無線スイッチ２３３０からのパケットを受信するとともに処理して、オン、オフ、または暗さの状態を制御する。このデータは、ゲートウェイ２３６０にリレーして、適切なシステム制御を確実にするとともに、無線コントローラがコマンドを受信し、動作したことのダブルチェックをすることもできる。
【００８１】
［１１０７］  いくつかの例では、ゲートウェイ２３６０は、部屋またはエリア毎にデバイスをグループ化することができる。例として、図２３を参照すると、すべてのデバイス（たとえば、無線コントローラ２３１０、無線スイッチ２３３０、モーションセンサ２３４０、光センサ２３５０など）が、部屋に加えられている。この例では、無線コントローラ２３１０は、無線スイッチ２３３０に関連付けられており、モーションセンサ２３４０および光センサ２３５０は、部屋に関連付けられている。
【００８２】
［１１０８］  いくつかの例では、モーションセンサは、部屋のタイムアウトをリセットするために使用される。部屋のタイムアウトタイマは、占有された状態から占有されていない状態にいつ切り替わるかを示すことができる。部屋のタイムアウトタイマは、ユーザによって構成可能とすることができ、また、たとえば、３０分とすることができる。部屋のタイムアウトタイマは、個別の部屋のゲートウェイ２３６０によって時間を設定することができ、また、ゲートウェイ２３６０により、部屋のデバイス（たとえば、無線コントローラ２３１０）をどのように制御するかを決定するために使用することができる。モーションセンサ２３４０から送信された、モーションを示すデータは、図２３に示す部屋のルームタイマをリセットすることができる。いくつかの例では、各部屋またはエリアは、専用のルームタイマおよびタイムアウト条件を有する。いくつかの例では、いずれかのモーションセンサ２３４０が、モーションを検知するとともに、ルームタイマをクリアすることができる。いくつかの例では、ルームタイマが、３０分などの部屋のタイムアウト条件に達すると、ゲートウェイ２３６０は、無線コントローラ２３１０に、その部屋に関連付けられたコマンドを発して、無線コントローラ２３１０の所望の状態に切り換えることができる。そのような例では、無線コントローラ２３１０に対するコマンドは、無線コントローラ２３１０の各々に連続して生じるか、またはすべての無線コントローラ２３１０に対して同時に、単一のコマンドとして生じる場合がある。そのような例では、通常、所望の状態はオフである。しかし、いくつかの例では、セキュリティの照明または緊急の照明などの、特定の照明は、所望の状態がオンであるか、または５０％などの設定可能なレベルに暗くされている場合がある。いくつかの例では、光センサ２３５０は、部屋内の光レベルを継続的に監視し、ゲートウェイ２３６０にデータを送信することができる。ゲートウェイ２３６０は、（モーションセンサ２３４０および光センサ２３５０からの）センサデータに基づき、無線コントローラ２３１０にコマンドを無線で送信することができる。いくつかの例では、モーションセンサ２３４０および／または光センサ２３５０は、有利であるとわかった場合、無線コントローラ２３１０と直接通信することができ、関連性が、モーションセンサ２３４０および／または光センサ２３５０に関し、無線コントローラ２３１０内に記憶され得る。
【００８３】
［１１０９］  いくつかの例では、ゲートウェイ２３６０は、限定ではないが、検知閾値、タイムアウト、暗さレベルなどのデバイスデータを設定することができる。このデータは、ゲートウェイ２３６０により、システム制御を実施するか確実にするように使用される。
【００８４】
［１１１０］  いくつかの例では、ゲートウェイ２３６０は、各部屋に関して、または、部屋が占有されているか占有されていないものとすべきかに関するスケジュールを維持することができる。スケジュールは、たとえば、１５分の分解能を有する場合がある。いくつかの例では、スケジュールは、ゲートウェイ２５６０に、クラウドサーバから押し込まれる場合があり、かつ、ユーザによって設定することができる。いくつかの例では、占有された状態の下での動作は、占有されていない状態における動作にはマッチしない場合がある。例として、占有された状態の間、光は、タイムアウト条件に起因してオフにならない場合があるが、むしろ、暗くなるのみである場合がある。一方、占有されていない状態では、ライトはオフになる場合がある。スケジュールの少なくとも一部（例として、２４時間）は、ネットワークの停電に対処するために、ゲートウェイ２３６０に記憶することができる。
【００８５】
［１１１１］  いくつかの例では、ゲートウェイ２３６０は、制御および監視情報を受信および提供するために、ＢＡＳに対するインターフェースをも含んでいる。いくつかの例では、ゲートウェイ２３６０は、予め規定された時間の後に、各無線コントローラ２３１０にポーリングして、各無線コントローラ２３１０が適切な状態にあることを確実にすることができる。そのような例では、ゲートウェイ２３１０は、見つかったあらゆるエラーを修正するために、パケットを送信することができる。例として、ゲートウェイ２３６０は、１００の無線コントローラの１つに、毎秒ポーリングして、それらの状態をチェックすることができる。したがって、各無線コントローラ２３１０は、１００秒毎にポーリングされる。いくつかの例では、ゲートウェイ２３６０は、空間的な多様性および周波数の多様性を提供するために、異なるチャンネル（チャンネルＡおよびチャンネルＢ）上で同時に動作する２つのアンテナと２つの無線機とを含むことができる。いくつかの例では、ゲートウェイ２３６０は、ユーザのコンピュータから、または、プロキシもしくはクラウドサーバからのアクセスに関する、安全なログインおよびパスワードを有することができる。いくつかの例では、ゲートウェイ２３６０は、クラウドサーバによって促され、アップデートされたファームウェアを含むファイルが受信された場合、ファームウェアのアップグレードを実施する能力を有している。いくつかの例では、ゲートウェイ２３６０は、ゲートウェイが使用不能になった場合、クラウドサーバにそのメモリをバックアップすることができる。これにより、ユーザが、システム２３００を再度セットアップする必要なしに、新たなゲートウェイにメモリを復旧することを可能にすることができる。
【００８６】
［１１１２］  上述のように、ゲートウェイは、照明制御システムに関する制御ポイントとすることができ、また、システムの構成および監視のための中心デバイスとすることができる。ゲートウェイは、システム内の他のデバイスに関する制御の中心ポイントとすることができる。しかし、いくつかの例では、システム内のデバイスは、ゲートウェイの存在なしで、自律的に機能することもできる。そのような例では、ゲートウェイが、そのゲートウェイが制御するように構成されたデバイスと通信ができない場合の、建物が部分的に電源異常になるか妨げられる事象において、デバイスは、デフォルトの指示および設定を使用して、機能を継続することができる。
【００８７】
［１１１３］  上述のように、ゲートウェイは、デバイスに関する最初の構成（無線コントローラおよび関連する照明設備、モーションセンサ、照明センサなど）を制御するように構成することができる。そのような例では、最初の構成は、たとえば、Ｅｔｈｅｒｎｅｔのインターフェース、および、ユーザがゲートウェイからロードして、構成要素またはデバイスをネットワークに対して付加するか除去することができるウェブサイトによって達成することができる。さらに、システム内のデバイスは、クラウドサーバを介してゲートウェイに関連付けることができる。いくつかの例では、ゲートウェイは、すべての他の照明システムハードウェア構成要素またはデバイスに関し、最小の制御ユニットとして実施することができる。いくつかの例では、スケジュールはゲートウェイ内に記憶されていない。いくつかの例では、システム内のデバイスのイネーブルまたはディスエーブルは、ゲートウェイのウェブページのインターフェース、または、ＪＳＯＮ  ＲＥＳＴインターフェースを介して、決まった方式で行って、メカニズムを提供することができる。このメカニズムにより、所与のスケジュールまたは方針を実行することができる。いくつかの例では、ゲートウェイは、本明細書に記載のように、プロキシサーバ、ローカルサーバ、および／またはクラウドサーバにデータを押し込むように構成されている。いくつかの例では、ゲートウェイは、関連するデバイス（無線コントローラ／リピータ、スイッチ、センサ）に関する情報を、メモリ内に記憶することができる。いくつかの例では、ゲートウェイは、サーバによって促される場合、ソフトウェア／ファームウェアをアップグレードすることができる。そのような例では、ゲートウェイは、新たなタイプのデバイスの構成および制御を行うように構成することができる。いくつかの例では、ゲートウェイは、ネットワーク時間プロトコル（ＮＴＰ）クライアントを使用して、ＮＴＰサーバに、現在の時間に関してポーリングすることができる。いくつかの例では、ゲートウェイ上のタイムスタンプは、ＩＥＥＥ  Ｓｔｄ  １００３．１−１９８８に規定されるように、秒で記録することができる。
【００８８】
［１１１４］  図２５に示すように、プロキシサーバ２３８０は、有線ネットワーク上の複数のゲートウェイ２３６０ａ〜２３６０ｎから、データを収集するように構成することができる。複数のゲートウェイ２３６０ａ〜２３６０ｎからのデータは、次いで、図２５に見ることができるように、ファイヤーウォールを開くことによって生じるセキュリティ上のリスクを最小にするように、単一のポイントを通してファイヤーウォールを出ることができる。さらに、プロキシサーバ２３８０は、さらなるセキュリティ上の特徴を、追加されるセキュリティに関するクライアントのセキュリティソケットレイヤ（ＳＳＬ）などの、システムに追加することができる。プロキシサーバ２３８０は、物理的なユニット、ソフトウェアパッケージ、および／または、既存のサーバ上で実行する仮想マシンとすることができることに留意されたい。
【００８９】
［１１１５］  クラウドサーバは、複数のゲートウェイから、複数のサイトから、および、複数のユーザから、データを収集するように構成することができる。いくつかの例では、クラウドサーバは、ゲートウェイと同じ機能を実施することができるが、複数のゲートウェイを含む完全なサイトを管理することもできる。クラウドサーバは、データを記憶、追跡、および分析することもできる。例として、クラウドサーバは、建物、部屋／エリア、または無線コントローラレベルで、照明制御システムのエネルギー消費を追跡することができる。ユーザは、ＡＣまたはＤＣ電圧、安定器の通常の電流の抽出、および電力の因子を入力することができる。クラウドサーバは、このデータと、無線コントローラのオンの時間とを使用して、エネルギー消費を計算することができる。
【００９０】
［１１１６］  本明細書に記載のデバイス、たとえば、無線スイッチ、無線センサなどの各々は、永続的なバーコードラベル、および、取外し可能な接着剤のバーコードラベルを有することができる。取外し可能なバーコードラベルは、設置の間は除去することができ、部屋またはエリアのデバイスを包含するシートに貼り付けることができる。これらバーコードは後に、照明制御システムのセットアップの際に、ゲートウェイにスキャンすることができる。これにより、ゲートウェイに、どのデバイスがネットワークに加えられるべきか、および、どのデバイスを無視すべきか（セットアップの際にスキャンされなかったデバイス）を知らせることを可能にすることができる。
【００９１】
［１１１７］  いくつかの例では、部屋内に複数のセンサが存在する場合、センサからのデータは、論理和とされるか、論理積とされるか、平均化されるか、付加されるか、減じられるか、積分されるか、任意の他の数学的演算が行われて、所望の結果を提供する。
【００９２】
［１１１８］  いくつかの例では、複数の無線スイッチを、１つまたは複数の無線コントローラに関連付けて、部屋またはエリアに、制御のための複数のスイッチを有することを可能にすることができる。そのような例では、制御は、もっとも最近のスイッチの押圧に基づくか、またはタイムアウト期間内のもっとも優先度の高いスイッチによるものとすることができる。いくつかの例では、マスタースイッチが、複数の部屋またはエリアを制御することができ、また、その部屋またはエリア内の包含される、あらゆる下位のレベルのスイッチに対して優位に立つことができる。
【００９３】
［１１１９］  本明細書に記載のデバイスは、各々が、固有のシリアル番号を有することができる。シリアル番号は、デバイスのタイプを識別するために使用することができる部分を包含することができる。例として、シリアル番号は、３２ビットの数値とすることができ、ここで、最初の８ビットが、デバイスのタイプを識別し、残りの２４ビットが、固有の数値である。
【００９４】
［１１２０］  いくつかの例では、照明制御システムは、システムが安全であることを確実にするために、暗号化を採用することができる。セキュリティが追加されると、システムは、パケットカウンタおよびデータ白化アルゴリズムを採用することができる。パケットカウンタにより、ゲートウェイが、パケットが攻撃者によってリピートされないことを確実にすることを可能にすることができる。パケットカウンタは、伝送デバイスからのシンプルなタイムスタンプとして、または、そのデバイスからのパケットが欠損しているか失われているかを判定するために使用することもできる。このデータは、適切である場合は、再送信を要求するために使用することができる。データ白化アルゴリズムは、主に、ＦＣＣの規定に適合するように、ＲＦ周波数のスペクトルの展開を与えるために使用される。
【００９５】
［１１２１］  いくつかの例では、照明制御システムは、限定ではないが、有線スイッチ、無線差込口、電気的に制御された鎧戸を有する制御可能なベント、ＨＶＡＣセンサ（温度、湿度、ＣＯ２、差圧、接点の開閉、外部の温度、パルスカウンタなど）、音声で作動する照明制御、音声を検知する占有されているか開いているかのセンサなどの、追加のデバイスを含むことができる。
【００９６】
［１１２２］  いくつかの例では、ゲートウェイは、ＺｉｇｂｅｅまたはＷｉＦｉなどの異なるプロトコルを使用する、他のデバイスの追加をサポートするために、追加の無線機を含むことができる。いくつかの例では、ゲートウェイは、制御のための他のデータを得るように、他のシステムとの接続のために、デジタルまたはアナログの入力および／または出力を含むことができる。一例には、セキュリティステータスの変更に基づき、照明の設定を変更するように、セキュリティシステムに対する接続が含まれている。
【００９７】
［１１２３］  いくつかの例では、無線コントローラは、無線コントローラがゲートウェイおよびクラウドサーバにエネルギー消費を報告することを可能にするように、負荷の電流および電力の因子を監視するための回路を含むことができる。電流を監視することも、切れたバルブまたは切れた安定器などの、負荷デバイスにおける不調を判定するために使用される場合がある。
【００９８】
［１１２４］  図２７は、本明細書に記載の照明制御システムの動作方法２７００を示すフローチャートである。方法２７００は、状態の変化の信号が、２７０２、２７０４において、空間に関するタイムアウト期間の間に受信されたか否かを判定するなど、周期的なチェックを実施する空間に関連付けられたゲートウェイを含んでいる。状態の変化の信号を受信することなくタイムアウト期間が経過した場合、方法２７００は、２７０６において、空間内にモーションセンサが存在するかを判定することを含んでいる。モーションセンサが存在する場合、方法２７００には、２７０８において、ゲートウェイが、任意の無線コントローラをその所望の状態に戻すことが含まれている。モーションセンサが存在しない場合、方法２７００には、２７１０において、ゲートウェイが、そのスペースが占有される予定であるかを判定することが含まれている。スペースが占有される予定にない場合、方法２７００には、２７０８において、ゲートウェイが、任意の無線コントローラをその所望の状態に戻すことが含まれている。部屋が占有される予定である場合、方法２７００は、２７１２において、光センサが存在するかを判定することを含んでいる。光センサが存在しない場合、方法２７００には、２７０８において、ゲートウェイが、いずれの変更も開始しないことが含まれている。光センサが存在する場合、方法２７００には、２７１４において、任意の無線コントローラを光センサの制御に戻すことが含まれている。２７０４に戻ると、タイムアウト期間が経過していない場合、ゲートウェイは、２７１６において、いずれの変更も開始しない。図２７には示されていないが、エンドポイント２７０８、２７１４、および２７１６の各々の後に、方法２７００は、２７０２に戻ることができ、周期的なチェックを実施する。
【００９９】
［１１２５］  本明細書に記載の照明制御システムは、異なる使用のケースに関連付けることができる。具体的には、照明制御システムは、人間が、システムと物理的に（たとえば、スイッチ）相互作用する、および／または、システムに含まれるデバイス（たとえば、モーションセンサ）を介して相互作用するシナリオと関連付けることができる。
【０１００】
［１１２６］  人間がスイッチと物理的に相互作用するシナリオでは、スイッチは、ユーザが、システムの方針に対して優位に立つことを可能にする。ユーザによる、スイッチまたはセンサを介しての物理的な相互作用がない場合、システムは、設定された方針に従って、自律的に作用するものとする。
【０１０１】
［１１２７］  最初の物理的な相互作用のシナリオでは、ユーザは、より多くの光を望む場合がある。このシナリオでは、ライトの、電力がオフの状態または暗さのレベルがユーザの要請に関して非常に低い設定が有効である場合がある。ユーザは、ユーザの所望の照明レベルに基づき、スイッチにタッチ入力をすることができる。このシナリオでは、スイッチが押された部屋が、占有されていると設定された場合、部屋のタイムアウトにより、センサが存在する場合、無線コントローラが、昼光のハーベスティングに戻される場合がある。このシナリオでは、スイッチが押された部屋が、占有されていないと設定された場合、部屋のタイムアウトにより、無線コントローラが、Ａｍｅｒｉｃａｎ  Ｓｏｃｉｅｔｙ  ｏｆ  Ｈｅａｔｉｎｇ，  Ｒｅｆｒｉｇｅｒａｔｉｎｇ  ａｎｄ  Ａｉｒ  Ｃｏｎｄｉｔｉｏｎｉｎｇ  Ｅｎｇｉｎｅｅｒｓ（ＡＳＨＲＡＥ）の規格に従って、オフのデフォルトの状態に戻される場合がある。
【０１０２】
［１１２８］  第２の物理的な相互作用のシナリオでは、ユーザは、より少ない光を望む場合がある。このシナリオでは、部屋は、部屋の無線コントローラの状態のデフォルトを設定する、有効なスケジュールを有することができる。ユーザは、プレゼンテーションのために、部屋をより暗くすることを好む場合がある。このシナリオでは、ユーザは、ユーザの所望の照明レベルに基づき、スイッチにタッチ入力をすることができる。このシナリオでは、スイッチが押された部屋が、占有されていると設定された場合、部屋のタイムアウトにより、センサがその部屋に位置する場合、コネクタが、昼光のハーベスティングに戻される場合がある。このシナリオでは、スイッチが押された部屋が、占有されていないと設定された場合、部屋のタイムアウトにより、コネクタが、ＡＳＨＲＡＥの規格に従って、オフのデフォルトの状態に戻される場合がある。
【０１０３】
［１１２９］  第３の物理的な相互作用のシナリオでは、スイッチを、その無線コントローラの関連性の除去を介してディスエーブルすることができる。そのようなシナリオでは、ユーザの、スイッチとの物理的相互作用は、システムに対して優先される。同様に、スイッチがタイムアウトした場合、ユーザは、やはり、スイッチに対して優先する。
【０１０４】
［１１３０］  第４の物理的な相互作用のシナリオでは、ゲートウェイは、接続性を失う場合がある。そのようなシナリオでは、スイッチは、システムの単独の制御ポイントとして作用し得る。部屋内の無線コントローラは、単一のユニットとして自律的に作動し、接続が失われる前にそれら無線コントローラがあった状態のままであるものとする。建物の方針をゲートウェイからのブロードキャストを介して制御できることから、ゲートウェイ上で有効であるすべての建物の方針は、失われると、他のデバイスによるアクセスに関して有効ではなくなり、スイッチの状態は、接続がシステム内で戻るまで、継続されることになる。
【０１０５】
［１１３１］  第１のモーションセンサのシナリオでは、モーションが検出されない。そのようなシナリオでは、建物の空であることのセンサが、部屋が空であることを検出する（タイムアウト期間の間にモーションが検出されない）事象において、部屋内のすべての無線コントローラは、そのデフォルトの状態に戻ることになる。モーションの第２のセンサのシナリオでは、モーションが検出される。そのようなシナリオでは、モーションが検出される事象において、部屋により、タイムアウトタイマがリセットされる。
【０１０６】
［１１３２］
光センサのシナリオでは、光センサは、この光センサが部屋のルクスレベルを検出できるように、部屋内に置かれている。そのようなシナリオでは、センサのルクス設定ポイントが構成可能である場合、システムは、センサに関連付けられた無線コントローラを、暗くするか明るくすることができる。そのようなシナリオでは、無線コントローラに関連付けられたスイッチは、昼光のハーベスティングのために設定されたデフォルトの状態に対して優先することができる。そのような光センサのシナリオでは、光センサによって測定される、部屋のルクスのポイント、または明るさは、ゲートウェイを介して制御することができる。このシステムは、合理的な光の値を提供し、かつ、テストによって判定される、光の条件の変更に対して順応させるように設計することができる。このシナリオを継続すると、ヒステリシスレベルが、無線コントローラから光センサの関連に関して与えられる。これらレベルにより、ルクスのレンジを設けることができ、このレンジにおいては、光センサに関連付けられた無線コントローラが、そのパーセントの低下を調整するように試みられてはいない場合がある。
【０１０７】
［１１３３］  本明細書に記載のように、ゲートウェイは、照明制御システムに接続されている場合がある。例として、技術者は、Ｅｔｈｅｒｎｅｔケーブルをゲートウェイに接続することができる。Ｅｔｈｅｒｎｅｔ接続は、交差するケーブルを必要とすることなく、機能できるようにすることができる。技術者はこのため、技術者のコンピュータに静的なインターネットプロトコル（ＩＰ）アドレスを設定することにより、ゲートウェイとの通信をイネーブルすることができる。引き続きこの例に関し、技術者は次いで、ゲートウェイのデフォルトのＩＰにおいて、ゲートウェイ上のＨｙｐｅｒｔｅｘｔ  Ｔｒａｎｓｆｅｒ  Ｐｒｏｔｏｃｏｌ  Ｓｅｃｕｒｅ（ＨＴＴＰＳ）サーバに案内することができ、また、デフォルトのユーザ名およびパスワードに関してプロンプトで情報の入力を促される場合がある。デフォルトのユーザ名およびパスワードの入力の後に、技術者は、進行する前に、ユーザ名およびパスワードを入力することが要求される場合がある。ユーザ名またはパスワードが提供されない場合、ゲートウェイは、構成可能または利用可能とはならない。そのような例では、このことは、セキュリティのメカニズムとすることができる。
【０１０８】
［１１３４］  本明細書に記載のように、照明制御システムのネットワークセッティングを構成することができる。たとえば、技術者は、所望のネットワークセッティングにマッチするように、デフォルトのＩＰアドレスおよびＬＡＮセッティング（ドメイン名サーバ（ＤＮＳ）、ＩＰゲートウェイ、サブネットマスク）を変更することができる。技術者は、ゲートウェイ情報を関連するクラウドまたはプロキシサーバに入力することができる。ゲートウェイが、アップデートをクラウドサーバにプッシュするように設定されている場合、クラウドサーバに関する関連するユーザ名およびパスワードは、インストーラまたはクラウドサーバ／プロキシによってゲートウェイに入力され得る。技術者は、ゲートウェイを永続的な位置に、ＬＡＮ設備として設置することができる。技術者は、クラウドサーバまたはプロキシにログインし、ゲートウェイが認識されている／そのサーバ上でさらなる構成を実施していることを確認することができる。
【０１０９】
［１１３５］  本明細書に記載のように、リソースが、ゲートウェイ構成または現在の状態の表示に対するアクセスを、ＨＴＴＰのリクエストおよびレスポンスを介して提供する。ゲートウェイは、リソースを示すＵＲＬに対し、ＨＴＴＰのリクエストを使用して、データに関してポーリングし、それらリクエストに対するレスポンスを返すように設計することができる。さらに、異なるリソースのパラメータへの状態の変化が、再現的な状態の転送（ＲＥＳＴ：ｒｅｐｒｅｓｅｎｔａｔｉｏｎａｌ  ｓｔａｔｅ  ｔｒａｎｓｆｅｒ）のインターフェースに対する次のポーリングとの間に失われ得ることから、追加のインターフェースが提供され得る。この追加のインターフェースは、外部のサーバに対して状態の変化をプッシュすることを可能にすることができる。ユーザまたは外部のサーバにより、ＲＥＳＴインターフェースを介して、場所が占有されるか構成されない限り、ゲートウェイは、ゲートウェイおよびスケジュールを除き、すべてのリソースに関し、空のアレイのレスポンスを返すことになる。
【０１１０】
［１１３６］  本明細書に記載のシステムのいくつかの実施形態では、無線パケットの受信の信頼性を増大させるために、リピータを含むことができる。具体的には、２つのタイプのリピータ、グローバルリピータとローカルリピータとを使用することができる。
【０１１１】
［１１３７］  いくつかの実施形態では、本明細書に記載のシステムの１つまたは複数などのシステムは、１つまたは複数のグローバルリピータ（本明細書においては、ネットワークリピータとも呼ばれる）を含むことができる。グローバルリピータは、グローバルリピータが、ローカルリピータよりも高い出力レベルで、かつ／または、ローカルリピータよりも大である距離にわたり、パケットを送信することができる意味で、「グローバル」とすることができる。たとえば、グローバルリピータは、部屋、空間、またはゾーンを越えてパケットを送信することができる場合があるが、ローカルリピータは、部屋、空間、またはゾーン内でのみ、パケットを送信することができる場合がある。グローバルリピータは、たとえば、無線デバイスとすることができ、また、光源または照明設備に動作可能に結合することができる。いくつかの実施形態では、無線デバイスは、無線コントローラおよびトランシーバを含むことができる。無線コントローラは、プロセッサに実装され、またメモリを含むことができる。このため、この文脈では、グローバルリピータは、照明設備コネクタと称される場合がある。この理由は、グローバルリピータが、光源および／または照明設備を、たとえばゲートウェイに接続することができるためである。いくつかの実施形態では、グローバルリピータは、ユーザによって手動で、グローバルリピータであるように構成することができる、リピータの能力を有する無線デバイスとすることができる。
【０１１２】
［１１３８］  グローバルリピータは、１つまたは複数の他のデバイスから受信したデータパケットをリピートまたは送信することができる。たとえば、グローバルリピータは、本明細書に記載のシステム内に任意のデバイス（たとえば、ゲートウェイ、他の無線デバイス、スイッチ、センサ、または、適切なゲートウェイ識別番号（ＩＤ）でプログラムされた他のデバイス）から受信したデータパケットをリピートすることができる。グローバルリピータは、グローバルリピータに関して規定された伝送（ＴＸ）出力レベルを使用することができ、それにより、低い出力レベルでパケットを送信しているローカルリピータに比べ、高い出力でリピートする際に、グローバルリピータが、より大である距離にわたり、かつ／または、複数の部屋にわたり、パケットをリピートすることがきる。いくつかの実施形態では、リピータの能力を有する無線デバイスは、以下の条件のすべてが満たされた場合、グローバルリピータとして動作し、データパケット（たとえば、無線パケット）をリピートする。
・パケットを受信することが意図されているデバイス（たとえば、リピータの能力を有する無線デバイスまたはゲートウェイ）のＩＤが、リピータの能力を有する無線デバイスのＩＤと等しくない。
・リピータの能力を有する無線デバイスが、現在、ゲートウェイと関連付けられている。
・無線パケットが、グローバルリピータまたはローカルリピータまたはゲートウェイから来る場合、リピータの能力を有する無線デバイスが、同じグローバルリピータまたはローカルリピータまたはゲートウェイに関連付けられている。
・パケットが任意の特定のタイプ（複数の場合もある）のデバイス（たとえば、スイッチまたはセンサ）から来る。
・パケット（たとえば、無線パケット）が、特定の回数（たとえば、５回）（ホップの最大の数）より多くリピートされない場合。
【０１１３】
［１１３９］  いくつかの実施形態では、リピータの能力を有する無線デバイスは、上述の条件の１つまたは複数が満たされた場合、グローバルリピータとして動作し、パケットをリピートする。いくつかの実施形態では、リピータの能力を有する無線デバイスは、上述の条件の１つ、いくつか、またはすべてが満たされた場合、ローカルリピータとして動作し、無線パケットをリピートすることができる。
【０１１４】
［１１４０］  パケットがリピートされるべきと判定されると、グローバルリピータとして動作する、リピータの能力を有する無線デバイスは、ランダムに生成された遅延を挿入することができる。たとえば、ランダムに生成された遅延は、約１０ミリ秒から約５０ミリ秒のレンジの遅延とすることができる。
【０１１５】
［１１４１］  いくつかの実施形態では、本明細書に記載のシステムのいずれかなどのシステムは、１つまたは複数のローカルリピータを含むことができる。いくつかの実施形態では、無線デバイスは、ローカルリピータであるように、自律的に構成することができる、リピータの能力を有する無線デバイスとすることができる。リピータの能力を有する無線デバイスは、光源または照明設備に動作可能に結合することができる。たとえば、リピータの能力を有する無線デバイスのセットの、リピータの能力を有する無線デバイスの各々は、１つまたは複数の光源と同じ場所に配置し、かつ／または、１つまたは複数の光源と共通のハウジング内に配置することができ、それにより、リピータの能力を有する無線デバイスの各々が、１つまたは複数の光源の１つまたは複数の特性（たとえば、オン／オフの状態、暗さレベル、色）を制御できるようになっている。上述のグローバルリピータに関して記載した、リピータの能力を有する無線デバイスと同様に、ローカルリピータであるように構成することができる、リピータの能力を有する無線デバイスは、無線コントローラおよびトランシーバを含むこともできる。無線コントローラは、プロセッサに実装され、またメモリを含むことができる。このため、この文脈では、ローカルリピータとして構成されたリピータの能力を有する無線デバイスは、照明設備コネクタと称される場合がある。この理由は、ローカルリピータが、光源および／または照明設備を、たとえばゲートウェイに接続することができるためである。グローバルリピータに比べ、ローカルリピータは、より低い伝送パワーレベルを使用することができ、この理由は、パケットが、ローカルリピータが配置された部屋またはゾーンと同じ部屋またはゾーン内のデバイスにリピートされることが意図されるのみであるためである。ローカルリピータを使用することにより、他の部屋またはゾーン（たとえば、隣接する空間）における潜在的な妨げを低減しつつ、所与の部屋またはゾーン内のデバイスのパケットの受信の信頼性が向上する。
【０１１６】
［１１４２］  パケットのソースデバイス（たとえば、スイッチなど）との関連性を共有する、リピータの能力を有する無線デバイスのグループは、リピータの能力を有する無線デバイスのグループを配置することができる部屋またなゾーン内で、そのパケットのソースデバイスから自律的に、およびランダムで受信した、１つまたは複数のデータパケットをリピートすることができる。リピートは、自律的に実施することができ、この理由は、リピータの能力を有する無線デバイスが、ユーザが、リピータの能力を有する無線デバイスを、ローカルリピータであるように構成することを必要とせず、ゲートウェイが、リピータの能力を有する無線デバイスを、ローカルリピータであるように識別または構成することを必要とされないためである。リピートは、ランダムに行うことができ、この理由は、関連性を共有する、リピータの能力を有する無線デバイスの所与のセットで、ランダムに選択されたサブセットのみが、所与の期間の間（たとえば、サブセット内のリピータの能力を有する無線デバイスによって新たなパケットが受信されるまで続く時間の間）、ローカルリピータとなるためである。ランダムに選択されたサブセットは、１つまたは複数のリピータの能力を有する無線デバイスを含むことができる。ランダムなサブセットは、たとえば、リピータの能力を有する無線デバイスのグループによって受信されるすべてのパケットを有する、すべての時間を変更する可能性が非常に高い（しかし、統計的に保証されてはいない）。別の言い方をすれば、リピータの能力を有する無線デバイスのセットの内の、リピータの能力を有する無線デバイスの各々は、すべての時間、たとえば、リピータの能力を有する無線デバイスの各々がパケットを受信する毎に、ローカルリピータとして動作するかを自律的に判定することができる。このため、リピータの能力を有する無線デバイスのセットの、リピータの能力を有する無線デバイスの各々が、セット内の互いのリピータの能力を有する無線デバイスによって行われる判定とは別々かつ独立して、かつ／または、任意の他のデバイスとは別々かつ独立して、ローカルリピータとして動作するかを、個別に判定することができる。
【０１１７】
［１１４３］  いくつかの実施形態では、ローカルリピータとして動作する、リピータの能力を有する無線デバイスは、他のリピータの能力を有する無線デバイスを元とするパケットをリピートしない。ローカルリピータは、ローカルリピータが関連付けられたパケットのソースデバイス（たとえば、スイッチまたはセンサ）からのパケットのみをリピートする。いくつかの実施形態では、ローカルリピータは、低伝送パワーレベルの無線デバイス（たとえば、スイッチおよびセンサ）からのパケットをリピートするのみであり、それにより、衝突が発生する場合であっても、パケット（たとえば、スイッチからのパケット）が、そのローカルリピータに関する部屋またはゾーン内の、すべてのリピータの能力を有する無線デバイスによって受信されるようになっている。したがって、いくつかの実施形態では、ゲートウェイを元にするパケットのサブセットのみがリピートされる。たとえば、ゲートウェイを元にするパケットのサブセットのみが、「ゲートウェイ・スプーフィング・パケット」の場合、すなわち、ゲートウェイが、パケットのソースデバイス（たとえば、無線スイッチ、無線センサなど）のフォーマットでパケットを送信して、そのパケットのソースデバイスの動作を模倣した場合にのみリピートされる。スプーフィングにより、ゲートウェイが、たとえば、エンドデバイスの特性を制御するために、エンドデバイスと通信することを可能にすることができる。たとえば、リピータの能力を有する無線デバイスは、特定のゲートウェイ・スプーフィング・パケットを受信した場合、エンドデバイスとして動作することができる。スプーフィングは、たとえば、部屋の中のライトをオフにするために、たとえば無線スイッチであるものと「見せかける」ゲートウェイとして見ることができる。いくつかの実施形態では、スプーフィングするパケットは、パケットを受信するデバイス（たとえば、リピータの能力を有する無線デバイスなどのエンドデバイス）が、ゲートウェイを元にする、スプーフィングするパケットを認知しているようにデータフィールドを含むことになる。これにより、受信デバイスに、パケットがスプーフィングされたパケットであることを伝える。
【０１１８】
［１１４４］  いくつかの実施形態では、上述のように、リピータの能力を有する無線デバイスは、トランシーバおよびプロセッサを含むことができる。プロセッサは、トランシーバに動作可能に結合され得る。トランシーバは、データパケットを受信することができ、プロセッサは、データパケットをリピートするかを判定することができる。いくつかの実施形態では、プロセッサは、リピータの能力を有する無線デバイスが、データパケットのソース（たとえば、スイッチ、センサ、またはゲートウェイ）に関連付けられているかに基づき、データパケットをリピートするかを判定することができる。
【０１１９】
［１１４５］  関連性を共有するリピータの能力を有する無線デバイスのグループから、どのリピータの能力を有する無線デバイスが、ローカルリピータとして動作するかを決めるためのロジックの例は、以下のようになる。
・リピータの能力を有する無線デバイスが、パケットのソース（たとえば、無線パケット）と関連付けられているかをチェックする。
・関連付けられている場合、リピータの能力を有する無線デバイスが、以下の計算を使用して、リピータの能力を有する無線デバイスが、ローカルリピータとして動作すべきかを判定する。（（ランダム数）ＭＯＤ（（パケットのソースデバイスと関連付けられているリピータの能力を有する無線デバイスの数＋２）／４））＝＝０
・ランダム数：無線コントローラにより、０から３２７６７の間でランダムに生成された整数である。
・ＭＯＤ：これは、数学的なモジュラス演算子（「モジュロ」としても知られている）。この演算子は、２つの数の間で除算を行い、残部を返すことにより、動作する。このため、５ＭＯＤ２は、１に等しくなる。別の例として、２ＭＯＤ２は、０に等しくなる。
・計算に使用されるすべての演算は、整数ベースの演算である。このため、（（５＋２）／４）は、１の結果となり、この理由は、残部は除去されるか無視されるためである。
・パケットのソースデバイスに関連付けられている、リピータの能力を有する無線デバイスの数が０である場合、リピータの能力を有する無線デバイスは、ローカルリピータではないことになる。
・いくつかの実施形態では、パケットのソースデバイスは、センサまたはスイッチである。いくつかのそのような実施形態では、他のリピータの能力を有する無線デバイスおよびゲートウェイからのパケットは、ローカルリピータによってはリピートされない。
・いくつかの実施形態では、「（パケットのソースデバイスと関連付けられた、リピータの能力を有する無線デバイスの数＋２）／４）」のパラメータは、ゲートウェイにより、数値として、リピータの能力を有する無線デバイスにアサインされる。このパラメータは、ローカルリピータの特性である。
【０１２０】
［１１４６］  上述の方程式に関する例示的な入力値は、以下のようになる。
【表１】
2019537296.tif 000003
【０１２１】
［１１４７］  リピータの能力を有する無線デバイスがローカルリピータである可能性は、パケットのソースデバイスに関連付けられたリピータの能力を有する無線デバイスの数に依存している。関連付けられた、リピータの能力を有する無線デバイスの数が増大すると、リピータの能力を有する無線デバイスが、ローカルリピータであることの可能性は減少する。リピータの能力を有する無線デバイスがローカルリピータであることの可能性は、関連性の数値から得られる整数に２を加算したものを４で除算したもので、１を除算したものである。１／（（（関連性の数）＋２）／４）。このことは、以下のチャートに示されている。
【表２】
2019537296.tif 000004
【０１２２】
［１１４８］  リピータの能力を有する無線デバイス（本明細書に記載のリピータの能力を有する無線デバイスの１つなど）は、複数のリピータモードで動作できる。たとえば、いくつかの実施形態では、リピータの能力を有する無線デバイスは、所与の時間において、４つのモードのいずれか１つで動作できる。第１のモードでは、リピータの能力を有する無線デバイスは、任意のネットワークからの、任意の他のデバイスからの任意のパケットをリピートするグローバルリピータとして構成することができる。第２のモードでは、リピータの能力を有する無線デバイスは、リピータの能力を有する無線デバイスのネットワーク上であるが、他のネットワークからではない、任意の他のデバイスからの任意のパケットをリピートするグローバルリピータとして構成することができる。第３のモードでは、リピータの能力を有する無線デバイスは、リピータの能力を有する無線デバイスが関連付けられる任意の他のデバイスからの任意のパケットをリピートする、ローカルリピータとして構成することができる。関連性は、ユーザにより、ユーザインターフェースを介して、ゲートウェイデバイスから無線でアサインすることができる。第４のモードでは、リピータの能力を有する無線デバイスは、いずれのパケットをもリピートしない、エンドデバイスとして構成することができる。
【０１２３】
［１１４９］  リピータの能力を有する無線デバイス（本明細書に記載のリピータの能力を有する無線デバイスの１つなど）は、１つまたは複数のリピータタイプ（本明細書では、１つまたは複数のリピータモードで動作しているとも称される）として動作し得る。例として、リピータの能力を有する無線デバイスは、第１の時点、または第１の期間の間、ローカルリピータとして動作し得、第２の時点、または第２の期間の間、グローバルリピータとして動作し得る。部屋またはゾーンは、１つまたは複数のタイプのリピータを包含し得る。
【０１２４】
［１１５０］  リピータモードは、異なるＲＦパワーレベルで動作し得る。例として、ローカルリピータは、たとえば、約０ｄＢｍから約１０ｄＢｍの範囲のパワーレベルで送信し得る。グローバルリピータは、たとえば、約２０ｄＢｍから約３０ｄＢｍの範囲のパワーレベルで送信し得る。概して、ローカルリピータは、関連付けられたエンドデバイスが、他のネットワークデバイスよりも近いことから、送信のために使用される電力が少ない場合がある。送信のために使用される電力が少ないことにより、ネットワークの他の部分に対する妨げを防止する助けになる。いくつかの実施形態では、リピータの能力を有する無線デバイスは、第１のモードにおいて第１の出力レベルで、かつ、第２のモードにおいて第２の出力レベルで、送信することができる。たとえば、リピータの能力を有する無線デバイスは、第１のモードではローカルリピータとしてイネーブル（構成）し、第１の出力レベルで送信することができ、また、第２のモードではネットワークリピータとしてイネーブル（構成）し、第１の出力レベルより高い第２の出力レベルで送信することができる。いくつかの実施形態では、第１の出力レベルは、第１の伝播距離と関連付けられており、第２の出力レベルは、第２の伝播距離と関連付けられており、第２の伝播距離は、第１の伝播距離よりも大である。
【０１２５】
［１１５１］  いくつかの実施形態では、ローカルリピータは、自動的にアサインされる。ゲートウェイデバイスは、ローカルリピータを、特定のネットワークデバイスにアサインする場合があるか、またはネットワークデバイスは、本明細書に記載のリピータの能力を有する無線デバイスの１つなどのデバイスが、ローカルリピータとして動作すべきであるかをランダムに判定する場合がある。このランダムの判定は、持続する場合があるか、または所定の時間の後に変化し得る。別の実施形態では、ローカルデバイス（たとえば、同じ部屋かゾーン内のデバイス）は、互いに通信して、どのデバイスが、ローカルリピータとして動作しているかを判定する場合がある。別の実施形態では、ローカルデバイスは、ゲートウェイにデータを提供して、ゲートウェイが最適なローカルリピータを選択できるようにする場合がある。データには、たとえば、ゲートウェイからの通信の、受信した信号の強度、他のローカルデバイスからの通信の、受信した信号強度、飛行データの時間、または任意の他の適切なデータが含まれる場合がある。
【０１２６】
［１１５２］  いくつかの実施形態では、リピータの能力を有する無線デバイスは、１つまたは複数の部屋またはゾーンにアサインすることができる。いくつかの実施形態では、リピータの能力を有する無線デバイスは、１つまたは複数の光源の動作を実施するか、または１つまたは複数の光源の特性を変更する、たとえば、１つまたは複数のライトをオンかオフにする、または、１つまたは複数のライトを暗くすることができる。いくつかの実施形態では、無線デバイスは、受信したパケットの指示に基づき、動作を実施することができる。
【０１２７】
［１１５３］  いくつかの実施形態では、リピータの能力を有する無線デバイスは、送信されたパケットを、ネットワーク上の廃棄までの時間にアサインする場合があるか、またはパケットデータ内の廃棄までの時間のカウントを増加させるか減少させる場合がある。たとえば、ネットワーク上でパケットがリピートされる毎に、パケットの、廃棄までの時間のカウントは、送信するリピータ（または受信するリピータ）により、１だけ減少される場合がある。パケットの、廃棄までの時間のカウントがゼロである場合、ネットワーク上のリピータは、パケットをリピートしない。また、リピータの能力を有する無線デバイスは、将来の時点における他のパケットとの比較のために、メモリ内にパケットデータを記憶する場合がある。例として、リピータの能力を有する無線デバイスは、デバイスがすでにパケットをリピートした場合、パケットをリピートしない場合がある。リピータの能力を有する無線デバイスは、第１の時点で、２つ以上のチャンネル上でパケットをリピートする場合がある。リピータの能力を有する無線デバイスは、ランダムか所定の遅延の後に、第１の時点の後の第２の時点において、同じパケットをリピートする場合がある。
【０１２８】
［１１５４］  いくつかの実施形態では、システム（本明細書に記載のシステムの１つまたは複数など）の動作方法には、複数の無線デバイスの第１の無線デバイスにおいて、データパケットのソース（たとえば、センサまたはスイッチ）の通知を含むデータパケットを受信することが含まれる。第１の無線デバイスは、たとえば、無線コントローラを有する、リピータの能力を有する無線デバイスとすることができる。第１の無線デバイスが、データパケットのソースに関連付けられていることに応じて、第１の無線デバイスがローカルリピータであるかを、複数の無線デバイスの、ランダム数の無線デバイスか、またはいくつかの無線デバイスのうちの少なくとも１つに少なくとも部分的に基づいて判定することができる。いくつかの実施形態では、第１の無線デバイスがローカルリピータであるかの判定は、少なくとも部分的に、（ランダム数の）モジュロの計算（（第１の無線デバイスに関連付けられた複数の無線デバイスの無線デバイスの数＋２）／４）に基づいている。第１の無線デバイスがローカルリピータであると判定されるのに応じて、第１の無線デバイスは、ローカルリピータとして構成されることになる場合があり、それにより、第１の無線デバイスが、データパケットを、複数の無線デバイスの、少なくとも１つの残りの無線デバイスに送信するようになっている。第１の無線デバイスがローカルリピータではないと判定されるのに応じて、第１の無線デバイスは、データパケットをリピートしない。
【０１２９】
［１１５５］  いくつかの実施形態では、静電タッチスイッチは、人間の指の存在を検知することができる、検知ゾーンまたはボタンを含む場合がある。検知ゾーンは、無線スイッチ上の任意の位置における人間の指によって作動することができる。検知ゾーンには、他の検知ゾーンまたはボタンの周りのエリアのいくつかまたはすべてが含まれている場合がある。例としてライトをオンにするために、ユーザが自身の指を検知ゾーン上に置く場合、検知ゾーンは、最初に、指の存在を検知する。次いで、無線スイッチは、指の位置を判定するために、さらなるボタンの各々を検知する。このタイプの手順により、無線スイッチが、単一のゾーンをサンプリングして、エネルギーを節約し、バッテリの寿命を延ばすことを可能にする。無線スイッチの面上（どこでも）において指が検知された場合、無線スイッチは、指の明確な位置の、より微細なチェックを行って、どのコマンドを送信するかを判定することができる。検知には、たとえば、電気的／電子的ノイズによって生じる、誤ったトリガを除くことの助けになる、平均化アルゴリズムが含まれている。一実施形態では、ボタンは、指の位置のおおまかな概算を得るために、平均化を伴わずにチェックされる。次いで、無線スイッチが、正の通知を示した各ゾーンをチェックすることができるが、これらゾーンの上の平均化を使用することができる。平均化には、さらなるエネルギーが消費され、そのため、可能性として、ボタンの除去により、エネルギーを節約し、バッテリの寿命を延ばす。
【０１３０】
［１１５６］  本明細書に記載の様々な実施形態、例、および実装態様により、特定の数の無線スイッチ、無線コントローラ、無線センサ、無線リピータ、および／またはネットワーク・ゲートウェイ・デバイスなどが記載されているが、本明細書に記載の無線センサシステムおよび照明制御システムは、任意の数のそのようなデバイスを、たとえば冗長性を提供するために、含むことができる。例として、多層の建物は、頂上のフロアと、最下層のフロアとにネットワーク・ゲートウェイ・デバイスを含むことができ、各無線センサは、無線リピータを介して、頂上のフロアおよび／または最下層のフロアのネットワーク・ゲートウェイ・デバイスへの、少なくとも１つのパスを含むことができる。
【０１３１】
［１１５７］  任意の実施形態では、デバイスは、Ｆ状のアンテナを使用する場合がある。アンテナは、たとえば、ＰＣＢ上に構築することができる。ＰＣＢは、２つ以上の層を有する場合がある。接地平面が、たとえば最下層に形成されるが、構成要素およびアンテナは、頂上の層に形成される。いくつかの実施形態では、アンテナは、アーチとして構築された少なくとも１つの導電体を有する場合がある。アンテナの短絡ピンとアンテナの供給ポイントとは、アーチ上で、垂直ではない角度で交差する。アンテナは、アーチの端部に、複数の平行なセグメントをも含む場合がある。平行なセグメントは、互い違いの端部で電気的に接続されて、曲折したセクションを形成している。アンテナは、ほぼすべてのアンテナの直下に接地平面を有していない場合がある。アンテナの短絡ピンは、その長さの一部に関し、接地平面の端部に対して垂直とすることができ、また、９０度などの急な角度を伴わずに、その長さの一部に関して湾曲している。
【０１３２】
［１１５８］  有利であるとわかった場合、送信されたデータパケットには、ホップカウント、ＲＳＳＩ、最後のリピータのＩＤ、または、無線ネットワークの調子を監視するための他のデータが含まれる場合がある。
【０１３３】
［１１５９］  任意の実施形態では、デバイスは、ユーザが、デバイスの機能の状態を見ることを可能にするための、二安定のディスプレイまたは他のインジケータを含む場合がある。例として、モーションセンサは、モーションが検知された際に光るＬＥＤを含む場合がある。別の例として、光センサは、センサ上でのルクスレベルの現在の読取り値を、ゲートウェイへのデータの送信に伴って表示するために、二安定のセグメント化されたディスプレイを含む場合がある。
【０１３４】
［１１６０］  本発明の様々な実施形態、例、および実装態様が本明細書に記載されているが、これらは、例としてのみ提供されており、限定するものではないことを理解されたい。本明細書に記載の方法が、特定の順番で生じる特定の事象を示す場合、特定の事象の順番は、変更される場合がある。さらに、いくつかの事象は、可能である場合は、並列のプロセスで同時に実施される場合があり、また、上述のように、連続して実施される場合がある。
【０１３５】
［１１６１］  いくつかの実施形態、例、および実装態様では、本デバイスは、様々なコンピュータで実装される動作を実施するために、指示またはコンピュータコードをその上に有する固定コンピュータ可読媒体（固定プロセッサ可読媒体とも称することができる）を伴う、コンピュータに記憶された製品を含むか、または関連するものとすることができる。コンピュータ可読媒体（またはプロセッサ可読媒体）は、この媒体が、一次的な伝播信号（たとえば、空間またはケーブルなどの、伝送媒体上で情報を保持する電磁波の伝播）を本質的に含んでいない意味で、固定である。媒体およびコンピュータコード（コードとも称することができる）は、特定の目的または複数の目的のために設計および構築されたものである場合がある。固定コンピュータ可読媒体の例には、限定ではないが、ハードディスク、フロッピーディスク、および磁気テープなどの磁気記憶媒体、コンパクトディスク／デジタル・ビデオ・ディスク（ＣＤ／ＤＶＤ）、コンパクトディスク−リード・オンリ・メモリ（ＣＤ−ＲＯＭ）、およびホログラフィックデバイスなどの光学記憶媒体、光学ディスクなどの磁気−光学記憶媒体、搬送波信号処理モジュール、ならびに、特定用途の集積回路（ＡＳＩＣ）、プログラム可能な論理デバイス（ＰＬＤ）、リード・オンリ・メモリ（ＲＯＭ）、およびランダム・アクセス・メモリ（ＲＡＭ）デバイスなどの、プログラムコードを記憶および実行するように特別に構成されたハードウェアデバイスが含まれる。
【０１３６】
［１１６２］  コンピュータコードの例には、限定ではないが、ミクロコードまたはミクロ指示、コンパイラによって生成されるものなど、マシンの指示、ウェブサーバを生成するために使用されるコード、および、インタープリタを使用してコンピュータによって実行される、より高いレベルの指示を含むファイルが含まれる。たとえば、実施形態は、Ｊａｖａ、Ｃ＋＋、または他のプログラム言語（たとえば、オブジェクト指向プログラミング言語）および開発ツールを使用して実装される場合がある。コンピュータコードのさらなる例には、限定ではないが、制御信号、暗号化されたコード、圧縮されたコードが含まれる。
【０１３７】
［１１６３］  様々な実施形態、例、および実装態様が、特定の特徴および／または構成要素の組合せを有するものとして本明細書に記載されているが、適切である場合は、各実施形態のいずれかからの、任意の特徴および／または構成要素の組合せを有する、他の実施形態が可能である。
【図１】
2019537296.tif 000005
【図２】
2019537296.tif 000006
【図３】
2019537296.tif 000007
【図４】
2019537296.tif 000008
【図５】
2019537296.tif 000009
【図６】
2019537296.tif 000010
【図７】
2019537296.tif 000011
【図８−９】
2019537296.tif 000012
【図１０】
2019537296.tif 000013
【図１１】
2019537296.tif 000014
【図１２】
2019537296.tif 000015
【図１３】
2019537296.tif 000016
【図１４】
2019537296.tif 000017
【図１５】
2019537296.tif 000018
【図１６】
2019537296.tif 000019
【図１７】
2019537296.tif 000020
【図１８】
2019537296.tif 000021
【図１９】
2019537296.tif 000022
【図２０】
2019537296.tif 000023
【図２１】
2019537296.tif 000024
【図２２】
2019537296.tif 000025
【図２３】
2019537296.tif 000026
【図２４】
2019537296.tif 000027
【図２５】
2019537296.tif 000028
【図２６】
2019537296.tif 000029
【図２７】
2019537296.tif 000030
【国際調査報告】
2019537296.tif 000031